(57)【要約】      （修正有）【課題】効率的なマルチキャスト・サービス伝送方法を提供する。【解決手段】動的な共用順方向リンク・チャンネルが、共通の長いコード・マスクを使用して、無線装置のグループにマルチキャスト・データを送るために使用される。参照電力制御(PC)ビットもデータ・チャネル上で送られ、信号品質推定に使用される。共用順方向リンク指標チャンネルが、TDMを使用して無線装置へ逆方向リンク(RL)PCビットを送るために使用される。データ・チャネルはデータ・チャネルを受信するすべての無線装置によって共同で電力制御される。制御および指標チャンネルは、無線装置のためのこれらのチャンネル上で送られるシグナリングおよびRL PCビットが信頼して受信されるような各無線装置によって個々に電力制御される。【選択図】図１２
2011259456.tif 000002
【特許請求の範囲】
【請求項１】
無線通信システムにおいて多くの無線装置にデータを送信する方法であって、
共用データチャンネル経由で多くの無線装置にトラヒックデータを送信し、
多くの無線装置のために使用された共用制御チャンネル、または無線装置のために使用された専用制御チャンネル経由で多くの無線装置の各々にユーザ特有のシグナリングを送信し、トラヒックデータおよびユーザ特有のシグナリングはマルチキャスト・サービスのためであり、
共用データチャンネル上で参照ビットを送信し、参照ビットは既知の値を有しかつ共用データチャンネルの信号品質推定のために使用されることを含む方法。
【請求項２】
多くの無線装置のために使用される共用指標チャンネル、または無線装置のために使用される専用制御チャンネル経由で多くの無線装置の各々に電源制御情報を送信することをさらに含む請求項1の方法。
【請求項３】
共用データチャンネルは順方向基本チャンネル(F-FCH)であり、共用制御チャンネルは順方向専用制御チャンネル(F-DCCH)であり、共用指標チャンネルはIS-2000における順方向共通電力制御チャンネル(F-CPCCH)である請求項2の方法。
【請求項４】
共用データチャンネルは順方向基本チャンネル(F-FCH)であり、共用制御チャンネルもまたF-FCHであり、共用指標チャンネルはIS-2000における順方向共通電力制御チャンネル (F-CPCCH)である請求項2の方法。
【請求項５】
共用データチャンネルは順方向基本チャンネル(F-FCH)であり、専用制御チャンネルはIS-2000における順方向専用制御チャンネル(F-DCCH)である請求項2の方法。
【請求項６】
共用データチャンネルは順方向補足チャンネル(F-SCH)であり、共用制御チャンネルはIS-2000における順方向共通制御チャンネル(F-CCCH)である請求項2の方法。
【請求項７】
共用データチャンネルは順方向基本チャンネル(F-FCH)であり、共用制御チャンネルは順方向パケット・データチャネル(F-PDCH)であり、共用指標チャンネルはIS-2000における順方向共通電力制御チャンネル(F-CPCCH)である請求項2の方法。
【請求項８】
多くの無線装置の各々のために逆方向リンク結合を維持することをさらに含む請求項1の方法。
【請求項９】
無線通信システムにおいて多くの無線装置にデータを送信する方法であって、
順方向基本チャンネル(F-FCH)経由で多くの無線装置にトラヒックデータを送信すること、
順方向専用制御チャンネル(F-DCCH)経由で多くの無線装置の各々にユーザ特有のシグナリングを送信すること、
既知の値を有しかつF-FCHの信号品質推定のために使用される参照電力制御(PC)ビットを、F-FCH上で送信することを含む方法。
【請求項１０】
多くの無線装置のためのユーザ特有のシグナリングが、時分割多重化(TDM)を使用してF-DCCH上で送信される請求項9の方法。
【請求項１１】
F-FCHのための共通の長いコード・マスクを使用して生成された長いコードで、F-FCHのトラヒックデータにスクランブルをかけることをさらに含む請求項9の方法。
【請求項１２】
無線装置のために固有の長いコード・マスクを使用して生成される長いコードで、各無線装置のユーザ特有のシグナリングにスクランブルをかけることをさらに含む請求項9の方法。
【請求項１３】
順方向共通電力制御チャンネル(F-CPCCH)経由で多くの無線装置の各々に逆方向リンク(RL)PC情報を送信することをさらに含む請求項9の方法。
【請求項１４】
各無線装置のためのRL PC情報は無線装置に割り当てられたそれぞれの順方向電力制御サブチャネル上で送られ、多くの無線装置のための多くの順方向電力制御サブチャネルがF-CPCCH上で時分割多重化される請求項13の方法。
【請求項１５】
共通の長いコード・マスクを使用して生成された長いコードに基づいてF- CPCCH上に多くの無線装置のためのRL PC情報を多重化することをさらに含む請求項13の方法。
【請求項１６】
多くの無線装置からF-FCHのための順方向リンク(FL)PCビットを受信し、
F-FCHのための受信されたFL PCビットに基づいてF-FCHのための送信電力を調節することをさらに含む請求項9の方法。
【請求項１７】
F-FCHのためのFL PCビットがF-FCH上で送信された参照PCビットに基づいて各無線装置によって生成される請求項16の方法。
【請求項１８】
時間間隔のために多くの無線装置から受信されたFL PCビットに基づいて、各時間間隔のPC決定を判断し、かつORオブザ UP規則を使用し、F-FCHの送信電力がPC決定に基づいて調節されることをさらに含む請求項16の方法。
【請求項１９】
予め設定された無線装置の数またはそれ以上がF-FCH上でトラヒックデータを受信している場合、F-FCHのための送信電力の調節を不能にすることをさらに含む請求項16の方法。
【請求項２０】
多くの無線装置の各々からF-DCCHのための順方向リンク(FL)PCビットを受信し、
F-DCCHのための無線装置から受信されたFL PCビットに基づいて、各無線装置へF-DCCH上で送られたユーザ特有のシグナリングの送信電力を調節することをさらに含む請求項9の方法。
【請求項２１】
多くの無線装置の各々からF-DCCHのための順方向リンク(FL)PCビットを受信し、
F-DCCHのための無線装置から受信されたFL PCビットに基づいて、各無線装置へF-CPCCH上で送られたRL PCビットの送信電力を調節することをさらに含む請求項13の方法。
【請求項２２】
無線装置がシステムに関して移動するとき、トラヒックデータが多くの無線装置の各々へ送られる請求項9の方法。
【請求項２３】
逆方向パイロットチャンネル(R-PICH)経由で、多くの無線装置の各々からパイロットおよび順方向リンク(FL)PC情報を受信することをさらに含む請求項9の方法。
【請求項２４】
逆方向基本チャンネル(R-FCH)経由で無線装置から逆方向リンク・シグナリングを受信することをさらに含む請求項9の方法。
【請求項２５】
無線通信システムにおける装置であって、
多くの無線装置に対する順方向基本チャンネル(F-FCH)上で送信のためのトラヒックデータを処理し、かつF-FCH上で送信のための参照電力制御(PC)ビットを処理するように作動し、参照PCビットが既知の値を有しF-FCHの信号品質推定のために使用される第1のデータ処理装置と、
順方向専用制御チャンネル(F-DCCH)上で送信のため多くの無線装置の各々についてユーザ特有のシグナリングを処理するように作動する第2のデータ処理装置とを含む装置。
【請求項２６】
順方向共通電力制御チャンネル(F-CPCCH)上で送信のための多くの無線装置の各々のために、逆方向リンク(RL)PC情報を処理するように作動する第3のデータ処理装置をさらに含む請求項25の装置。
【請求項２７】
第1のデータ処理装置は、F-FCHのための共通の長いコード・マスクを使用して生成された長いコードで、F-FCHのためのトラヒックデータにスクランブルをかけるように作動する請求項25の装置。
【請求項２８】
第2のデータ処理装置は、無線装置のために固有の長いコード・マスクを使用して生成される長いコードで、各無線装置のユーザ特有のシグナリングにスクランブルをかけるように作動する請求項25の装置。
【請求項２９】
多くの無線装置からF-FCHのための順方向リンク(FL)PCビットを受信し、かつF-FCHのために受信されたFL PCビットに基づいてF-FCHの送信電力を調節するように作動する制御装置をさらに含む請求項25の装置。
【請求項３０】
多くの無線装置の各々からF-DCCHのための順方向リンク(FL)PCビットを受信し、かつF-DCCHのための無線装置から受信されたFL PCビットに基づいて、各無線装置へF-DCCH上で送られたユーザ特有のシグナリングの送信電力を調節するように作動する制御装置をさらに含む請求項25の装置。
【請求項３１】
無線通信システムにおける装置であって、
順方向基本チャンネル(F-FCH)経由で多くの無線装置にトラヒックデータを送信する手段と、
順方向専用制御チャンネル(F-DCCH)経由で多くの無線装置の各々にユーザ特有のシグナリングを送信する手段と、
F-FCH上で参照電力制御(PC)ビットを送信し、参照PCビットが既知の値を有し、かつF-FCHの信号品質推定に使用される手段とを含む装置。
【請求項３２】
F-FCHのための共通の長いコード・マスクを使用して生成される長いコードで、F-FCHのトラヒックデータにスクランブルをかける手段をさらに含む請求項31の装置。
【請求項３３】
無線装置のために固有の長いコード・マスクを使用して生成される長いコードで、各無線装置のユーザ特有のシグナリングにスクランブルをかける手段をさらに含む請求項31の装置。
【請求項３４】
多くの無線装置からF-FCHのための順方向リンク(FL)PCビットを受信する手段と、
F-FCHのために受信されたFL PCビットに基づいてF-FCHの送信電力を調節する手段とをさらに含む請求項31の装置。
【請求項３５】
多くの無線装置の各々からF-DCCHのための順方向リンク(FL)PCビットを受信する手段と、
F-DCCHのための無線装置から受信されたFL PCビットに基づいて、各無線装置へF-DCCH上で送られたユーザ特有のシグナリングの送信電力を調節する手段とをさらに含む請求項31の装置。
【請求項３６】
無線通信システムにおいてデータを受信する方法であって、
共用データチャンネル経由で多くの無線装置に送られたトラヒックデータを受信し、  共用制御チャンネルまたは専用制御チャンネル経由でユーザ特有のシグナリングを受信し、トラヒックデータおよびユーザ特有のシグナリングはマルチキャスト・サービスのためであり、
共用データチャンネル上で参照ビットを受信し、参照ビットは既知の値を有し、かつ共用データチャンネルの受信信号品質を推定するために使用されることを含む方法。
【請求項３７】
共用指標チャンネルまたは専用制御チャンネル経由で電力制御情報を受信し、
電力制御情報に基づいて逆方向リンク上で送られた送信の送信電力を調節することをさらに含む請求項36の方法。
【請求項３８】
無線通信システムにおいて無線装置でデータを受信する方法であって、
順方向基本チャンネル(F-FCH)経由でトラヒックデータを受信し、
順方向専用制御チャンネル(F-DCCH)経由で無線装置のためのユーザ特有のシグナリングを受信し、
F-FCH上で参照電力制御(PC)ビットを受信し、参照PCビットは既知の値を有しかつF-FCHの信号品質推定に使用されることを含む方法。
【請求項３９】
F-FCHのために共通の長いコード・マスクを使用して生成される長いコードで、トラヒックデータを逆スクランブルすることをさらに含む請求項38の方法。
【請求項４０】
無線装置のために固有の長いコード・マスクを使用して生成される長いコードで、無線装置のためのユーザ特有のシグナリングを逆スクランブルすることをさらに含む請求項38の方法。
【請求項４１】
順方向共通電力制御チャンネル(F-CPCCH)経由で無線装置のための逆方向リンク(RL)PC情報を受信することをさらに含む請求項38の方法。
【請求項４２】
共通の長いコード・マスクを使用して生成された長いコードに基づいて、F-CPCCHからの無線装置のためのRL PC情報を逆多重化することをさらに含む請求項41の方法。
【請求項４３】
F-FCH上で受信された参照PCビットに基づいてF-FCHの受信信号品質を推定し、
F-FCHの推定された受信信号品質に基づいてF-FCHのための順方向リンク(FL)PCビットを生成し、
逆方向パイロットチャンネル(R-PICH)経由でF-FCHのためのFL PCビットを送信することをさらに含む請求項38の方法。
【請求項４４】
F-FCHのためのFL PCビットを生成することが、
各時間間隔のF-FCHの推定された受信信号品質をF-FCHのための設定点に対して比較し、  比較の結果に基づいて時間間隔のF-FCHのためのFL PCビットを生成することを含む請求項43の方法。
【請求項４５】
F-DCCHの受信信号品質を推定し、
F-DCCHの推定された受信信号品質に基づいてF-DCCHのためのFL PCビットを生成し、
逆方向パイロットチャンネル(R-PICH)経由でF-DCCHのためのFL PCビットを送信することをさらに含む請求項38の方法。
【請求項４６】
F-DCCHのためのFL PCビットを生成することが、
各時間間隔のF-DCCHの推定された受信信号品質をF-DCCHのための設定点に対して比較し、
比較の結果に基づいて時間間隔のF-DCCHのためのFL PCビットを生成することを含む請求項45の方法。
【請求項４７】
F-DCCHのためのFL PCビットを生成することが、
F-DCCH上で受信されたユーザ特有のシグナリングに基づいてF-DCCHのための設定点を調節することをさらに含む請求項46の方法。
【請求項４８】
F-DCCHの受信信号品質はF-CPCCH経由で受信された無線装置のためのRL PC情報に基づいて推定される請求項41の方法。
【請求項４９】
トラヒックデータが少なくとも1つの基地局により供給される多数のセクターからF-FCH経由で受信され、ユーザ特有の信号が多数のセクターからF-DCCH経由で受信される請求項38の方法。
【請求項５０】
逆方向パイロットチャンネル(R-PICH)経由でパイロットおよび順方向リンク(FL)PC情報を送信することをさらに含む請求項38の方法。
【請求項５１】
無線装置のために受信された逆方向リンク(RL)PC情報に基づいて、R-PICHのための送信電力を調節することをさらに含む請求項50の方法。
【請求項５２】
逆方向基本チャンネル(R-FCH)経由で逆方向リンク・シグナリングを送信することをさらに含む請求項38の方法。
【請求項５３】
送信すべき逆方向リンク・シグナリングがなければ、逆方向基本チャンネル(R-FCH)は不活発である請求項52の方法。
【請求項５４】
無線通信システムにおける無線装置のための装置であって、
F-FCH上で送られたトラヒックデータを受信するために順方向基本チャンネル(F-FCH)のための処理を行ない、
F-DCCH上で無線装置へ送られたユーザ特有のシグナリングを受信するために、順方向専用制御チャンネル(F-DCCH)のための処理を行ない、
F-FCH上で送られた参照電力制御(PC)ビットを受信するためにF-FCHのための処理を行ない、参照PCビットが既知の値を有しかつF-FCHの信号品質推定に使用されるように作動する受信データ処理装置を含む装置。
【請求項５５】
データ処理装置が、
F-FCHのために共通の長いコード・マスクを使用して生成された長いコードで、トラヒックデータの逆スクランブルを行なうようにさらに作動する請求項54の装置。
【請求項５６】
データ処理装置が、
無線装置のために固有の長いコード・マスクを使用して生成された長いコードで、無線装置のためのユーザ特有のシグナリングに逆スクランブルをかけるように作動する請求項54の装置。
【請求項５７】
F-FCH上で受信された参照PCビットに基づいてF-FCHの受信信号品質を推定し、かつF-FCHの推定された受信信号品質に基づいてF-FCHのための順方向たリンク(FL)PCビットを生成するように作動する制御装置と、
逆方向パイロットチャンネル(R-PICH)上で送信のためのF-FCHのFL PCビットを処理するように作動する送信データ処理装置とをさらに含む請求項54の装置。
【請求項５８】
F-DCCHの受信信号品質を推定し、かつF-DCCHの推定された受信信号品質に基づいてF-DCCHのためのFL PCビットを生成するように作動する制御装置と、
逆方向パイロットチャンネル(R-PICH)上で送信のためのF-DCCHのFL PCビットを処理するように作動する送信データ処理装置とをさらに含む請求項54の装置。
【請求項５９】
無線通信システムにおける装置であって、
順方向基本チャンネル(F-FCH)経由でトラヒックデータを受信する手段と、
順方向専用制御チャンネル(F-DCCH)経由で無線装置のためのユーザ特有のシグナリングを受信する手段と、
F-FCH上で参照電力制御(PC)ビットを受信し、参照PCビットが既知の値を有しかつF-FCHの信号品質推定に使用される手段とを含む装置。
【請求項６０】
F-FCHのために共通の長いコード・マスクを使用して生成される長いコードで、トラヒックデータを逆スクランブルする手段をさらに含む請求項59の装置。
【請求項６１】
無線装置のために固有の長いコード・マスクを使用して生成された長いコードで、無線装置のためのユーザ特有のシグナリングを逆スクランブルする手段をさらに含む請求項59の装置。
【請求項６２】
F-FCH上で受信された参照PCビットに基づいてF-FCHの受信信号品質を推定する手段と、  F-FCHの推定された受信信号品質に基づいて、F-FCHのための順方向リンク(FL)PCビットを生成する手段と、
逆方向パイロットチャンネル(R -PICH)経由でF-FCHのためのFL PCビットを送信する手段とをさらに含む請求項59の装置。
【請求項６３】
F-DCCHの受信信号品質を推定する手段と、
F-DCCHの推定された受信信号品質に基づいてF-DCCHのためのFL PCビットを生成する手段と、
逆方向パイロットチャンネル(R-PICH)経由でF-DCCHのためのFL PCビットを送信する手段とをさらに含む請求項59の装置。
【発明の詳細な説明】
【技術分野】
【０００１】
35 U.S.C.§119の下の優先権主張
本特許出願は、仮出願シリアルNo．60/486,838題名“Method and Apparatus for a Dynamic Shared Forward Link Channel in a Wireless Communication System” 2003年7月11日出願、および仮出願シリアルNo．60/496,305題名“Method and Apparatus for a Dynamic Shared Forward Link Channel in a Wireless Communication System” 2003年8月18日出願に対して優先権を主張し、両出願はこの譲受人に譲渡され、ここに引用文献として明確に組込まれる。
【０００２】
分野
本発明は、一般に通信システムに係り、より明確に無線通信システムのための動的な共用順方向リンク・チャンネルに関する。
【背景技術】
【０００３】
無線通信システムはユニキャスト、マルチキャストおよび放送サービスを提供するかもしれない。ユニキャスト・サービスは、少なくとも1つの基地局と特定の無線装置との間の二地点間の通信を提供する。マルチキャスト・サービスは、少なくとも1つの基地局と無線装置のグループとの間の一地点対多地点の通信を提供する。放送サービスは、指定の報道範囲領域内の少なくとも1つの基地局とすべての無線装置との間の一地点対多地点の通信を提供する。
【０００４】
ユニキャスト、マルチキャストおよび放送サービスは異なるアプリケーションに使用され、異なる必要条件がある。ユニキャスト・サービスは、一般に音声とパケット・データ呼に使用され、また双方向通信を促進するために典型的には順方向リンクおよび逆方向リンクの両方のために専用システム資源(例えば、トラヒックチャンネル)を要求する。順方向リンク(あるいはダウンリンク)は基地局から無線装置までの通信リンクを指す。また、逆方向リンク(あるいはアップリンク)は無線装置から基地局への通信リンクを指す。放送サービスは、指定の報道範囲領域のすべての無線装置へ放送データを送るためにしばしば利用される。放送データは、単一の放送チャンネル上で効率的に送られるかもしれない。また、放送チャンネルのための制御情報は関連する制御チャンネル上で送られるかもしれない。放送サービスは典型的に片方向通信を提供するので、ほとんどないシステム資源は逆方向リンクに必要であるかもしれない。
【０００５】
マルチキャスト・サービスは、少なくとも1つの基地局から無線装置の特定のグループまでマルチキャスト・データを送るために利用されてもよい。マルチキャスト・データは多数の無線装置に興味のあるトラヒックデータであり、音声、ニュース、天候、映画、スポーツイベントなどのような内容向けかもしれない。送信の大部分は順方向リンク上にあるかもしれないが、マルチキャスト・サービスは少なくとも1つの基地局と無線装置との間の双方向通信をサポートするかもしれない。マルチキャスト・サービスは別々の順方向リンク・チャンネル経由で個々の無線装置へ同じマルチキャスト・データを送ることにより実施されるかもしれない。しかしながら、同じ基地局による多数の順方向リンク・チャンネル上でのマルチキャスト・データの余分の送信はシステム資源を消費し、マルチキャスト・サービスによりサポートされるかもしれない無線装置の数を制限する。
【発明の概要】
【０００６】
したがって、無線通信システムにおいてより効率的にマルチキャスト・サービスを提供する技術が、技術において必要がある。
【０００７】
動的に共用された順方向リンク(FL)チャンネルを使用して効率的にマルチキャスト・サービスを提供する技術が、ここに記述される。ここに使用されるように、“共用”チャンネルは多数の無線装置によって受信されるかもしれないものである。また、“専用”チャンネルは特定の無線装置に使用されるものである。
【０００８】
共用順方向リンク・データ・チャネル(または単に“データ”チャンネル)である動的な共用順方向リンク・チャンネルは、無線装置のグループにマルチキャスト・データを送るために使用される。マルチキャスト・データは、例えば、データ・チャネルのための共通の長いコード・マスクに基づいて生成されたスクランブリング/長いコードを使用して送られるかもしれない。データ・チャネルの電力制御を容易にするために、既知の値の参照電力制御(PC)ビットはデータ・チャネル上で送られ、無線装置によって信号品質推定に使用されるかもしれない。共用順方向リンク制御チャンネル(または単に、“制御”チャンネル)は、個々の無線装置に対しユーザ特有のシグナリング(例えば、基礎的な呼オペレーションおよび他の目的のために)を送るために使用されるかもしれない。すべての無線装置のためのユーザ特有のシグナリングは、例えば、時分割多重化(TDM)を使用して送られるかもしれない。各無線装置のシグナリングは、例えば、無線装置のための固有の長いコード・マスクに基づいて生成されたスクランブリング/長いコードを使用して送られるかもしれない。共用順方向リンク指標チャンネル(または単に、“指標”チャンネル)は、無線装置に(例えば、TDMを使用して) 逆方向リンク(RL)PCビットを送るために使用されるかもしれない。RL PCビットは各無線装置へ送られ、逆方向リンクのための無線装置の送信電力を調節するために使用される。
【０００９】
マルチキャスト・サービスを受信する無線装置は、マルチキャスト・サービスのための “動的な”報道範囲を容易にし、電力制御をサポートし、通信遅れを減少するために、1つ以上の基地局と逆方向リンク結合を維持するかもしれない。動的な報道範囲は、装置がシステムに関して移動しても、無線装置がマルチキャスト・サービスを受信することができることを意味する。各無線装置は、逆方向リンク・パイロット・チャンネル上でパイロットおよびFL PCビットを送信するかもしれない。FL PCビットは1つ以上の基地局へ送られ、順方向リンク・チャンネルの送信電力を調節するために使用される。各無線装置はまた、逆方向リンク・データ・チャネルおよび/または逆方向リンク制御チャンネル上で、データおよび/またはシグナリングを送信するかもしれない。
【００１０】
共用順方向リンク・データ・チャネルは無線装置によって共同で電力制御され、すべての無線装置のためのよい性能を達成する一方、送信電力および干渉を減少する。各無線装置は、データ・チャネル上で送られた参照PCビットに基づいてデータ・チャネルのための受信信号品質を推定し、受信された信号品質推定値に基づいてデータ・チャネルのためのFL PCビットを生成し、一次的な逆方向電力制御サブチャネル上で1つ以上の基地局へこれらのFL PCビットを送るかもしれない。各基地局は、データ・チャネルのためのすべての無線装置から受信されたFL PCビットに基づいて、データ・チャネルのための送信電力を調節する。
【００１１】
制御および指標チャンネルは個々の無線装置によって電力制御され、各無線装置のためによい性能を達成する。各無線装置は、指標チャンネル上で無線装置へ送られたRL PCビットに基づいて制御チャンネルのための受信信号品質を推定し、受信信号品質推定値に基づいて制御および指標チャンネルのためのFL PCビットを生成し、二次的な逆方向電力制御サブチャネル上で1つ以上の基地局へこれらのFL PCビットを送るかもしれない。各基地局は、これらのチャンネルのためのその無線装置から受信されたFL PCビットに基づいて、各無線装置の制御および指標チャンネルの送信電力を調節する。
【００１２】
動的な報道範囲を容易にするためにソフトおよびハード・ハンドオフを行なう技術が下記に述べられる。発明の種々の態様および実施例と同様にマルチキャスト・サービスを提供する他の実施例も下記に述べられる。
【図面の簡単な説明】
【００１３】
【図１】無線通信システムを示す。
【図２】マルチキャスト・サービスを提供するために使用される順方向リンク・チャンネルの組を示す。
【図３】F-FCH上の参照PCビットの送信を示す。
【図４】各無線装置のために使用される一組の逆方向リンク・チャンネルを示す。
【図５Ａ】R-PICHの逆方向電力制御サブチャネルを示す。
【図５Ｂ】R-PICHの逆方向電力制御サブチャネルを示す。
【図６】基地局によってマルチキャスト・サービスを提供する過程を示す。
【図７】無線装置によってマルチキャスト・サービスを受信する過程を示す。
【図８】基地局および無線装置のブロック図を示す。
【図９】F-FCHのためのデータ処理装置を示す。
【図１０】F-DCCHのためのデータ処理装置を示す。
【図１１】F-CPCCHのためのデータ処理装置を示す。
【図１２】R-PICHおよびR-FCHのためのデータ処理装置を示す。
【発明を実施するための形態】
【００１４】
語“典型的な”は、ここに“例、実例あるいは例証として役立つ”意味に使用される。ここに“典型的な”として記述されたどんな実施例も、必ずしも他の実施例より好ましいまたは有利であるとして解釈されない。
【００１５】
図1は多くの無線装置120のために通信サービスを提供する多くの基地局110を備えた無線通信システム100を示す。基地局は一般に固定局であり、基地トランシーバ局(BTS)、ノードB、アクセス・ポイントあるいは他のある専門用語で呼ばれるかもしれない。無線装置は固定または移動であるかもしれず、またさらに移動局(MS)、移動装置(ME)、ユーザ設備(UE)、ユーザ端末、加入者ユニットあるいは他のある専門用語で呼ばれるかもしれない。無線装置はシステムの全体にわたって分散されるかもしれない。移動交換センター(MSC)130は基地局のために調整と制御を提供する。MSCはまた無線ネットワーク制御装置(RNC)あるいは他のある専門用語で呼ばれるかもしれない。
【００１６】
システム100は、IS-2000、IS-856およびIS-95広帯域CDMA(W-CDMA) などのような1つ以上のCDMA規格を実施する符号分割多元接続(CDMA)システムであるかもしれない。システム100は、さらに移動通信のためのグローバルシステム（GSM（登録商標））のような1つ以上のTDMA規格を実施する時分割多元接続(TDMA)システムであるかもしれない。これらの規格は当技術においてよく知られている。動的な共用順方向リンク・チャンネルを使用してマルチキャスト・サービスを提供するためにここに記述された技術は、様々な無線通信システムに使用されてもよい。明瞭さのために、これらの技術は、IS-2000システムについて特に記述される。
【００１７】
システム100はマルチキャスト・サービスをサポートし、効率的なやり方で無線装置のグループにマルチキャスト・データを送信することができる。マルチキャスト・サービスを提供する様々な方式が下記に述べられる。マルチキャスト方式はそれぞれ、次の特性の1つ以上を持っている:
共用順方向リンク・チャンネルは無線装置のグループにマルチキャスト・データを送るために使用され、これらの無線装置によって制御される共同の電力がある;
共用または専用順方向リンク・チャンネルは個々の無線装置へユーザ特有のシグナリングを送るために使用される;
マルチキャスト・サービスの動的な報道範囲は各無線装置のために提供される;
各無線装置は逆方向リンク結合を維持し、動的な報道範囲を容易にし、電力制御をサポートし、通信遅れを減少させる；
電力制御が順方向および逆方向リンク・チャンネルのために行なわれ、よい性能を達成する一方、送信電力および干渉を減少させる。
【００１８】
表１はマルチキャスト・サービスを提供する5つの典型的な方式をリストする。これらの方式のために、マルチキャスト・データは、順方向基本チャンネル(F-FCH)あるいは順方向補足チャンネル(F-SCH)上で送られるかもしれない。F-FCHおよびF-SCHは動的な共用順方向リンク・チャンネルの異なる実施例である。F-FCHはまた順方向マルチキャスト基本チャンネル(F-MFCH)、または他のある専門用語で呼ばれるかもしれない。無線装置のためのユーザ特定のシグナリングは、F-FCH、順方向専用制御チャンネル(F-DCCH)、順方向パケット・データ・チャネル(F-PDCH)または順方向共通制御チャンネル(F-CCCH)上で送られるかもしれない。無線装置の送信電力を調節するRL PC情報は、順方向指標制御チャンネル(F-ICCH)によって運ばれる順方向共通電力制御チャンネル(F-CPCCH)上で送られるかもしれない。各無線装置のユーザ特有のシグナリングおよびRL PC情報も、その無線装置に割り当てられた専用F-DCCH上で送られるかもしれない。単純化のために、他の方法で注意されなかったならば、順方向リンク・チャンネルは以下の記述において共用チャンネルである。IS-2000のための順方向リンクおよび逆方向リンク・チャンネルは、ドキュメント3GPP2 C.S0002-D、題名“Physical Layer Standard for cdma2000 Spread Spectrum Systems Revision D”、バージョン1.0、2004年2月13日付けに記述され、それは公に利用可能であり、以後“C.S0002-D”ドキュメントと呼ばれる。表1中の5つのマルチキャスト方式は、以下にさらに詳細に記述される。
【表１】
2011259456.tif 000003
【００１９】
１．マルチキャスト方式1:F-FCH、F-DCCHおよびF-CPCCH
図2はマルチキャスト方式1のマルチキャスト・サービスを提供するように使用された順方向リンク・チャンネルを示す。順方向リンク・チャンネルはF-FCH、少なくとも1つのF-DCCHおよび少なくとも1つのF-CPCCHを含んでいる。F-FCHは無線装置へマルチキャスト・データを送るために使用される。F-DCCHはTDM方法で無線装置へユーザ特有のシグナリングを送るために使用される。F-DCCHは、(1) システムを用いた登録、基礎的な呼オペレーションなどに関係するシグナリング、(2)無線装置のためのページ、および(3)ハンドオフ、継続または呼の終了へのメッセージを運ぶかもしれない。F-CPCCHは無線装置へRL PC情報を送るために使用される。
【００２０】
順方向および逆方向リンク・チャンネルはフレームでデータを運ぶ。フレームは与えられた順方向/逆方向リンク・チャンネルについて所定時間間隔である。各順方向/逆方向リンク・チャンネルは1つあるいは多数のフレーム・サイズを利用するかもしれない。異なる順方向/逆方向リンク・チャンネルは同じかまたは異なるフレーム・サイズを利用するかもしれない。
【００２１】
F-FCHは1つ以上のフレーム・サイズ(例えば、20ミリセカンドおよび/または5ミリセカンド)を使用して、マルチキャスト・データを運ぶかもしれない。F-FCHのためのフレーム・サイズは呼の最初に構成されるかもしれないし、フレームからフレームへ動的に変わるかもしれない。F-FCHは、例えば9600、4800、2700、1500などのビット/秒(bps)の“可変”データレートでマルチキャスト・データを運ぶかもしれない。F-FCHはまた、マルチキャスト・データにスクランブルをかけるための長いコードを生成するために使用される共通の長いコード・マスク(LCM)に関係している。無線装置は、F-FCHのための共通の長いコード・マスクを知っており、マルチキャスト・データを回復するために補足的な逆スクランブルを行なうことができる。
【００２２】
図2に示されない、また明瞭さのため表1にリストされなかったけれども、1つあるいは多数のF-SCHがまたマルチキャスト・データを運ぶために使用されてもよく、F-FCHと同じ方法で共用されるかもしれない。各F-SCHはIS-2000に記述された方法で送信されるかもしれない。
【００２３】
各F-DCCHは図2に示されるように、フレームからフレームへ動的に変わる1つ以上のフレーム・サイズ(例えば、20ミリセカンドおよび/または5ミリセカンド)を使用して、シグナリングを運ぶかもしれない。各F-DCCHはさらに不連続な送信(DTX)をサポートするかもしれず、不連続な送信は与えられたフレーム中にF-DCCH上で送信されるデータがないことを意味する。F-DCCH上で送信するか、送信しないかの決定は、例えば何らかの送るシグナリングがあるか否かに基づいて、フレームごとベースでなされるかもしれない。
【００２４】
1つあるいは多数のF-DCCHは、マルチキャスト・サービスを受信する無線装置の数および/または他の要因に依存して、マルチキャスト・サービスのために使用されてもよい。無線装置の小グループがマルチキャスト・サービスを受けている場合、１つのF-DCCHが使用されてもよい。より多くの無線装置がマルチキャスト・サービスに加わるような場合、追加のF-DCCHが付加されるかもしれない。反対に、マルチキャスト・サービスをサポートすることを何も必要とされない場合、F-DCCHは降ろされるかもしれない。各F-DCCHは、無線装置のすべてあるいは部分集合のためのシグナリングを運ぶかもしれない。各無線装置は1つのF-DCCHに割り当てられるかもしれない。この場合、シグナリングが利用可能でかつF-DCCHの有効性に基づいたようになる場合は常に、各無線装置のシグナリングは割り当てられたF-DCCH上で送られるかもしれない。無線装置はまた、装置がシグナリングを受信することができる多数のF-DCCHに割り当てられるかもしれない。この場合、無線装置のためのシグナリングは割り当てられたF-DCCH内の任意の1つで送られるかもしれず、それは無線装置へシグナリングを送る遅れを減少することができる。各無線装置は固有の長いコード・マスクに関係している。各無線装置のシグナリングは、装置の固有の長いコード・マスクを使用して生成された長いコードでスクランブルされるかもしれないし、その無線装置によって逆スクランブルされるかもしれない。
【００２５】
様々な無線構成がF-FCHおよびF-DCCHのために使用されてもよい。各無線構成は、データレート、変調特性および拡散率のような特定の物理層パラメータに関係している。各無線構成のパラメータは前述のC.S0002-Dドキュメントに記述される。
【００２６】
1つあるいは複合のF-CPCCHは、マルチキャスト・サービスを受信する無線装置の数に依存してマルチキャスト・サービスに使用されてもよい。単一のF-CPCCHが最初に使用され、より多くの無線装置がマルチキャスト・サービスに加わるとともに、追加のF-CPCCHが加えられてもよい。多数の無線装置は各F-CPCCHに割り当てられるかもしれない。各F-CPCCHは、そのF-CPCCHに割り当てられた各無線装置について1つの順方向電力制御サブチャネルを運ぶ。各順方向電力制御サブチャネルは、多数の可能なレート(例えば、800、400、また200bps)のうちの1つで割り当てられた無線装置のためにRL PCビットを運ぶ。各F-CPCCHは、固定フレーム・サイズ(例えば、10ミリセカンド)を使用して、その割り当てられた無線装置のためにRL PCビットを運ぶ。各フレームについて、各F-CPCCHは、下記に述べられるように、TDM方法において、かつ共通の長いコード・マスクを基づいて決定された擬似乱数的位置にすべての割り当てられた無線装置のためにRL PCビットを運ぶ。単純化のために、以下の記述は、1つのF-DCCHおよび1つのF-CPCCHがマルチキャスト・サービスに使用されると仮定する。
【００２７】
各順方向リンク・チャンネルは、その順方向リンク・チャンネルで送られるデータを“カバーする”ために使用される異なるウォルシュ関数または準直交関数(QOF)に関係している。カバーリングは、与えられた変調シンボル(即ち、同じ値を有する一組のL変調シンボル)がL-チップの長いウォルシュ関数の期間のすべてのLチップにより掛け合わされることにより、送信されるLでカバーされたシンボルを得る処理である。デカバーリングは、受信シンボルが同じL-チップのウォルシュ関数のLチップにより掛け合わされることにより、Lデデカバーされたシンボルを得、送信された変調シンボルの推定を得るために蓄積される補足的な処理である。カバーリングは同時に送られた多くの順方向リンク・チャンネルの間で直交性を達成する。このカバーリングは時々“チャンネライジング”と呼ばれる。
【００２８】
各無線装置は装置が割り当てられたF-DCCHおよびF-CPCCHと同様にF-FCHのための様々なパラメータを通知される。例えば、各無線装置は、F-FCH、F-DCCHおよびF-CPCCHのためのウォルシュ関数、順方向リンク・チャンネルのためのデータレート、F-FCHおよびF-CPCCHのための共通の長いコード・マスク、無線装置のための固有の長いコード・マスク、F-CPCCHのために無線装置に割り当てられた順方向電力制御サブチャネルなどを通知されるかもしれない。各無線装置の固有の長いコード・マスクは、決定論的なやり方(例えば、無線装置の固有の連続番号に基づいて)で計算されるかもしれないし、あるいは基地局によって割り当てられるかもしれない。
【００２９】
F-FCH、F-DCCHおよびF-CPCCHのための送信電力は、マルチキャスト・サービスを受信するすべての無線装置のためのよい性能を達成するために調節されるかもしれない。F-FCHがすべての無線装置へ送られるので、F-FCHのための送信電力は、最悪のチャンネル条件(例えば、経路損失の最大合計および要求されるビットあたりのエネルギー対全体の雑音および干渉率(Eb/Nt))を有する無線装置でさえ、F-FCHを信頼して受信することができるように調節されるかもしれない。F-FCHのための送信電力は、このようにすべての無線装置によって共同で調節されるかもしれない。シグナリングとRL PCビットは、それぞれF-DCCHおよびF-CPCCH上で個々の無線装置へ送られる。F-DCCHおよびF-CPCCHの送信電力は、シグナリングおよびRL PCビットが無線装置によって信頼して受信されることができるように、各無線装置のために調節されるかもしれない。
【００３０】
F-FCHの電力制御を容易にするために、参照PCビット(または単に、参照ビット)がF-FCH上で送られるかもしれない。無線装置は、参照PCビットおよび他のFL条件に基づいてF-FCHの受信信号品質を推定し、それに従ってF-FCHのためのFL PCビットを生成するかもしれない。
【００３１】
図3はF-FCH上で参照PCビットの送信を示す。F-FCHは順方向電力制御サブチャネルを運ぶように構成されるかもしれない。F-FCHがユニキャスト・サービスのために特定の無線装置へデータを送るために専用チャンネルとして使用される場合、順方向電力制御サブチャネルはこの無線装置の送信電力を調節するために使用されるRL PCビットを運ぶ。しかしながら、F-FCHがマルチキャスト・サービスのための共用チャンネルとして使用される場合、F-FCH上の単一順方向電力制御サブチャネルは、典型的にマルチキャスト・サービスを受信するすべての無線装置のためのRL PCビットを運ぶことができない。そうすることは、(1) RL PCの有効性を減少する減少されたRL PCフィードバック率、(2) 追加のRL PCビットを収容するためにF-FCHの追加のパンクチャリングおよび、したがってF-FCHのための低下した順方向誤差訂正(FEC)コーディング利得、あるいは(3)上記の両方を要求するだろう。これらの無線装置のためのRL PCビットは、F-CPCCH上で代わりに送られるかもしれない。F-FCHの順方向電力制御サブチャネルのためのPCビットは、既知の値(例えば、全て‘l’)に設定され、参照PCビットとして使用されるかもしれない。
【００３２】
図3に示されるように、F-FCH上の各20ミリセカンドのフレームは、0〜15のインデックスを与えられた16の電力制御グループへ分割されるかもしれない。各電力制御グループは1.25ミリセカンドの持続時間を有し、１つの参照PCビットを運ぶ。各電力制御グループの参照PCビットはパンクチャされ、その電力制御グループのF-FCH上で送られたであろうある数の変調シンボルを置換する。各電力制御グループの参照PCビットの位置は擬似乱数的であり、F-FCHのための共通の長いコード・マスクによって決定される。参照PCビットは、F-FCH上で送られたマルチキャスト・データのための送信電力レベルから固定されたオフセットの電力レベルで送信される。このように参照PCビットは、下記に述べられるように、F-FCHの順方向リンク電力制御のために使用されるかもしれない。
【００３３】
図4はマルチキャスト・サービスを受信する各無線装置の逆方向リンク・チャンネルを示す。逆方向リンク・チャンネルは逆方向基本のチャンネル(R-FCH)および逆方向パイロット・チャンネル(R-PICH)を含んでいる。R-DCCHはまたR-FCHの代りに、あるいは付加して使用されてもよい。無線装置は、システムにデータとシグナリングを送信するためにR-FCHおよび/またはR-DCCHを使用する。伝送特性はR-FCHおよびR-DCCHのために異なるかもしれない。例えば、R-FCHは各フレームで送信されるが可変レートであり、しかし、R-DCCHは所定のフレームで送信されるか、送信されないかもしれないが、送信される場合は固定(例えば、全)レートで送られるかもしれない。記述の多くはR-DCCHに当てはまるかもしれないが、単純化のために、以下の記述はR-FCHである。無線装置は、逆方向リンク上でパイロットを送るために、および順方向リンク・チャンネルの送信電力を調節するために使用されるFL PCビットを送るためにR-PICHを使用する。
【００３４】
R-FCHは1つ以上のフレーム・サイズ(例えば、20ミリセカンドおよび/または5ミリセカンド)を使用して、データを運ぶかもしれない。R-FCHは可変データレートでデータを運ぶかもしれない。R-FCHは、データが16の電力制御グループの8つの各フレームにおいて時間の50%を送られることによって、ゲート制御された送信をサポートするかもしれない。R-FCHは送るべきデータがある場合のみ活発であり、そうでなければ不活発であるように、R-FCHはまた不連続の送信をサポートするかもしれない。
【００３５】
マルチキャスト・サービスのために、R-PICHはまた逆方向リンク・パイロットと多重化される逆方向電力制御サブチャネルを運ぶ。R-PICHの各20ミリセカンドのセグメントは16の電力制御グループへ分割され、各電力制御グループはさらに４つの4分の1に分割される。逆方向リンク・パイロットは各電力制御グループの最初の３つの4分の1で送られる。FL PCビットは、各電力制御グループの4番目の4分の1で送られる。R-PICHはまたR-FCHと同様の方法でゲート制御されるかもしれない。R-FCHおよびR-PICHは両方とも同時にゲート制御から離れかもしれず、それは送信しない場合にバッテリー電力を保存するために、無線装置がその電力増幅器を切ることを可能にする。
【００３６】
マルチキャスト・サービスを受信する各無線装置の活動的な逆方向リンク結合を維持することによって、無線装置の位置は確認され、マルチキャスト・サービスのための報道は無線装置に動的に適合するかもしれない。与えられた基地局は、そのようなサービスを要求する無線装置と同様に、マルチキャスト・サービスを受信する無線装置の報告された位置に基づいて、マルチキャスト・サービスを始めかつ終了するかもしれない。逆方向リンク結合はまた、F-FCH、F-DCCH、F-SCH(送信される場合)およびF-CPCCHの送信電力を調節ために使用される電力制御フィードバックを提供する。
【００３７】
マルチキャスト・サービスを受信する与えられた無線装置のための逆方向リンク結合は、様々な理由で降ろされる(即ち終了される)かもしれない。例えば、無線装置が予め定義された時間量の間R-FCH上でシグナリングを、またはR-PICH上でFL PCビットを送らなかった場合、その逆方向リンク結合は降ろされるかもしれない。別の例として、マルチキャスト・サービスを受信する無線装置の数が設定数を超過する場合、電力制御はF-FCHのために不能にされ、各無線装置の逆方向リンク結合は逆方向リンク資源および無線装置のバッテリー電力を保存するために降ろされるかもしれない。無線装置のための逆方向リンク結合は1あるいは多数の段階で降ろされるかもしれない。例えば、無線装置は、第1の時限の後に正常なオペレーティング・モードからゲート制御モードへ、そして第2の時限の後にアイドルモードに移行するかもしれない。第1および/または第2の時限はあらかじめ定義されるかシステムによって決定され、無線装置へ送られるかもしれない。ゲート制御モードにおいて、無線装置は減少されたレート(例えば、400あるいは200bps)でFL PCビットを送り、また減少されたレートでRL PCビットを受信するかもしれない。アイドルモードにおいて、無線装置は、R-PICHおよびR-FCH上の送信を不能にし、逆方向リンク上でシグナリングを送るために、逆方向アクセスチャンネル(R-ACH)または逆方向エンハンスト・アクセスチャンネル(R-EACH)を使用するかもしれない。
【００３８】
A. 順方向リンク電力制御
順方向リンク電力制御はマルチキャスト・サービスの様々な方法で行なわれるかもしれない。実施例では、F-FCHのための送信電力は、マルチキャスト・サービスを受信するすべての無線装置によって共同で調節される。F-FCHの共同の電力制御は、すべての無線装置が信頼してF-FCHを受信することができることを確保することができる。実施例では、各無線装置のF-DCCHおよびF-CPCCHのための送信電力は、その無線装置によって調節される。F-DCCHおよびF-CPCCHの個々の電力制御は、各無線装置がそのシグナリングおよびRL PCビットを信頼して受信することができる一方、各送信電力をできるだけほとんど消費しないことを確保することができる。F-DCCHおよびF-CPCCHはまたF-FCHと同様に共同で電力制御されてもよい。しかしながら、これらのチャンネルは時分割多重化方式で使用され、与えられた任意の時間に特定の無線装置を個々に処理するので、その瞬間に目標とされる特定の無線装置に対して必要であるより多くの電力を提供する必要はない。更にマルチキャスト・サービスを受信する無線装置の組によりF-DCCHおよびF-CPCCHの共同の電力制御は、これらの順方向リンク・チャンネルに対する送信電力が、恐らく悪いチャンネル条件を有する1つあるいは幾つかの無線装置によりハイ・レベルに設定される結果を生じるであろう。
【００３９】
図5Aは、400bpsの一次逆方向電力制御サブチャネル(それはまたサブストリーム1と呼ばれる)、および400bpsの二次逆方向電力制御サブチャネル(それはまたサブストリーム2と呼ばれる)にR-PICH上の逆方向電力制御サブチャネルの分割を示す。図5Aと5Bはビットの実際の期間を示すことではなく、これらの2つのサブチャネルへのPCビットのグループ分けだけを示すことに注目すべきである。R-PICH上の逆方向電力制御サブチャネルは800bpsのレートを持っている。IS-2000におけるFPC_MODE=‘001’のために、一次逆方向電力制御サブチャネルは偶数インデックスで8つの電力制御グループにFL PCビットを運び、二次逆方向電力制御サブチャネルは奇数インデックスで8つの電力制御グループにFL PCビットを運ぶ。
【００４０】
図5Bは、IS-2000におけるFPC_MODE=‘010’のために、200bpsの一次逆方向電力制御サブチャネル、および600bpsの二次逆方向電力制御サブチャネルへの逆方向電力制御サブチャネルの分割を示す。一次逆方向電力制御サブチャネルは4つの電力制御グループにFL PCビットを運び、二次逆方向電力制御サブチャネルは12の電力制御グループにFL PCビットを運ぶ。
【００４１】
二次逆方向電力制御サブチャネルは、F-FCHのためにFL PCビットを運ぶかもしれず、また例えば、600あるいは400bpsで送られるかもしれない。一次逆方向電力制御サブチャネルは、F-DCCHおよびF-CPCCHの両方のためにFL PCビットを運ぶかもしれないし、また例えば、600あるいは400bpsで送られるかもしれない。代りに、一次逆方向電力制御サブチャネルは、F-FCHのためにFL PCビットを運ぶかもしれないし、また、逆方向電力制御サブチャネルは、F-DCCHおよびF-CPCCHのためにFL PCビットを運ぶかもしれない。F-FCHおよびF-DCCH/F-CPCCHのためのFL PCビットはまた他のビット・レートで送られるかもしれない。モードは、一次および二次逆方向電力制御サブチャネルがそれぞれF-FCHおよびF-DCCHのためであることを示すように定義されるかもしれない。
【００４２】
無線装置は、内部ループおよび外部ループを含む電力制御メカニズムを使用して、F-FCHの電力制御を行なうかもしれない。内部ループについては、無線装置は、F-FCHの順方向電力制御サブチャネル上で参照PCビットを受信し、各参照PCビットの受信信号品質を推定する。受信信号品質はエネルギーパービット対全体の雑音および干渉比(Eb/Nt)または幾つかの他の量により計量されるかもしれない。無線装置は、より信頼できる推定を得るために、多数の参照PCビットのための受信信号品質推定値をフィルタにかけるかもしれない。無線装置は次に、現在の電力制御グループのためのフィルタにかけられた、あるいはフィルタにかけられない受信信号品質推定値をF-FCH設定点と呼ばれる信号品質閾値に対して比較する。無線装置は、受信信号品質推定値がF-FCH設定点より低い場合には、現在の電力制御グループのF-FCHのためのFL PCビットを‘0’に設定し、そうでない場合は‘1’に設定する。‘0’の値は、受信信号品質が十分でなく、F-FCHのための送信電力の増加を要求することを示す。‘1’の値は受信信号品質が十分以上であり、F-FCHのための送信電力の減少を要求することを示す。
【００４３】
外部ループについては、無線装置は、F-FCH上で送られたマルチキャスト・データを受信し、各フレームの受信マルチキャスト・データを復号し、各受信フレームが正確に(よく)あるいは誤って(消去されて)復号されたかどうか判断する。無線装置はよいフレームのために小さなダウンの各ステップによりF-FCH設定点を減少させるかもしれないし、各消去されたフレームのために大きいアップステップによりF-FCH設定点を増加させるかもしれない。アップおよびダウンステップ・サイズはF-FCHのための性能の所望レベルを達成するために典型的に選択され、それは目標フレーム消去率(例えば、1%のFER)によって計量されるかもしれない。
【００４４】
F-FCH設定点はまた固定されるかもしれず、その場合には、外部ループはF-FCHのために不能になる。F-FCH設定点はまた与えられた最小のF-FCH設定点に、あるいはその最小設定点より上にあるように制限されるかもしれない。最小のF-FCH設定点は、無線装置が報道範囲の端に移る場合、消去が不必要に生じないことを確保するレベルに設定されるかもしれない。基地局は、F-FCH設定点のための初期、最小および/または最大値を指定し、無線装置へこれらの値を送るかもしれない。
【００４５】
各基地局は、その基地局からマルチキャスト・サービスを受信するすべての無線装置からF-FCHのためのFL PCビットを受信する。F-FCHがすべての無線装置へ送られるので、基地局はすべての無線装置から受信されたFL PCビットに基づいてF-FCHのための送信電力を調節するかもしれない。各電力制御グループについては、基地局は、各無線装置から受信されたFL PCビットが‘0’または‘1’かどうか判断する。その後、基地局はすべての無線装置のための検出されたFL PCビットを組み合わせ、電力制御グループのためにPC決定を得る。例えば、基地局はORオブザUP規則を適用し、任意の無線装置のための検出されたFL PCビットが‘0’である場合、PC決定を(より高い送信電力のために) ‘0’に設定し、すべての無線装置のための検出されたFL PCビットが‘1’の場合、PC決定を(より低い送信電力のために)‘1’に設定するかもしれない。
【００４６】
F-FCHのための電力制御の利点は、マルチキャスト・サービスを受信する無線装置の数が増加するとき減少する。これはいくつかの要因による。第1に、高い送信電力レベルを要求する少なくとも1つの無線装置(例えば、報道範囲の端に位置し、悪いチャンネル条件を持っている)の尤度は、多数の無線装置により増加する。従って、F-FCHのための送信電力は、より多くの無線装置により高い電力レベルに設定される可能性がありそうである。第2に、無線装置の数が増加するとともに、すべての無線装置からFL PCビットを受信する尤度は正確に減少する。ORオブザ UP規則で、任意のFL PCビットの誤った検出は、‘0’または“UP”のときF-FCHのための送信電力を増加されることをもたらす。第3に、より多い逆方向リンク容量がより多くの無線装置によってF-FCHのためのFL PCビットを送信するために消費される。したがって、電力制御は、例えばマルチキャスト・サービスを受信する無線装置の数のような、1つ以上の基準に基づいてF-FCHのために選択的に行なわれるかもしれない。例えば、無線装置の数が予め設定された数未満である場合、電力制御はF-FCHのために可能になり、そうでなければ不能になるかもしれない。
【００４７】
各無線装置のF-DCCHのための送信電力は、下記に述べられるように、電力制御に基づいて調節されるかもしれない。各無線装置のF-CPCCHのための送信電力は、無線装置のF-DCCHのための送信電力に基づいて設定されるかもしれない。例えば、与えられた無線装置については、F-DCCHのための送信電力とF-CPCCHのための送信電力の間の違いかデルタは、基地局によって設定され、無線装置へ送られるかもしれない。F-DCCHおよびF-CPCCHのための送信電力は、F-DCCHおよびF-CPCCHのためのデータレートの差を説明する方法で設定されるかもしれない。
【００４８】
無線装置は、内部ループおよび外部ループの別の組を使用して、F-DCCHの電力制御を行なうかもしれない。内部ループについては、無線装置は、無線装置のためにF-CPCCH上で送られたRL PCビットを受信し、各RL PCビットの受信信号品質を推定する。無線装置は、より信頼できる推定を得るために多数のRL PCビットのための受信信号品質推定値をフィルタにかけるかもしれない。無線装置は、RL PCビットのためのフィルタにかけられた、あるいはフィルタにかけられない受信信号品質推定値および電力デルタに基づいて、F-DCCHのための受信信号品質を推定するかもしれない。F-CPCCHのための受信信号品質は、このようにF-DCCHのための受信信号品質の代理として使用される。無線装置は、次に現在の電力制御グループのためのF-DCCHの受信信号品質推定値をF-DCCH設定点に対する比較する。その後、無線装置は、受信信号品質推定値がF-DCCH設定点より低い場合、現在の電力制御グループのF-DCCHのためにFL PCビットを‘0’に設定し、そうでない場合は‘1’に設定する。‘0’値はF-DCCHのための受信信号品質が十分でなく、F-DCCHおよびF-CPCCHのための送信電力の増加を要求することを示す。‘1’はF-DCCHのための受信信号品質が十分以上であり、F-DCCHおよびF-CPCCHのための送信電力の減少を要求することを示す。
【００４９】
外部ループについては、無線装置は、F-DCCH上で無線装置へ送られたユーザ特有のシグナリングを受信し、各フレームで送られたシグナリングを復号し、各フレームが正確にあるいは誤りで復号されたかどうかを判断する。無線装置は各よいフレームのために小さなダウンステップによってF-DCCH設定点を減少させ、各消去されたフレームのために大きなアップステップによりF-DCCH設定点を増加させるかもしれない。アップおよびダウンステップ・サイズはF-DCCHのための性能の所望のレベル(例えば、1%のFER)を達成するように選択される。F-DCCH設定点は、値の範囲内にあるように強要されるかもしれない。
【００５０】
無線装置は、他の方法におけるマルチキャスト・サービスのためにF-FCH、F-DCCHおよびF-CPCCHの電力制御を行なうかもしれない。例えば、一次および二次逆方向電力制御サブチャネルは、それぞれ400bpsおよび50bpsのフィードバックを運ぶように使用されてもよい。50bpsのフィードバックは、無線装置がF-FCH上で20ミリセカンドのフレームを正確に受信したかどうかを基地局に通知するかもしれない。400bpsのフィードバックはF-CPCCHおよびF-DCCH送信電力レベルを連続的に調節するためにあるかもしれない。
【００５１】
B. 動的な報道範囲およびソフトハンドオフ
各基地局はそれぞれの地理的な領域のための通信報道範囲を提供する。近隣の基地局の報道範囲領域は、無線装置がシステムに関して移動するとき、無線装置が１つの基地局から他の基地局へハンドオフされることを可能にするように典型的にオーバーラップする。
【００５２】
システムはマルチキャスト・サービスのための動的な報道範囲を提供するかもしれない。各無線装置は、最良の可能な基地局からマルチキャスト・サービスを受信することを試みる。無線装置は、近くの基地局によって送信されるパイロットを周期的に探索し、装置が見つける各パイロットの信号強度を測定するかもしれない。無線装置はまた、装置がマルチキャスト・サービスを現在受信している各基地局からのパイロットの信号強度を周期的に測定するかもしれない。無線装置は、無線装置がマルチキャスト・サービスを現在受信している基地局をすべて含んでいる、“活発な”組を維持するかもしれない。無線装置は、新しい基地局のための測定されたパイロット信号強度が加算閾値を越える場合、新しい基地局を活発な組に加えよう試みるかもしれない。新しい基地局を加えるために、無線装置は現在の基地局へR-FCH上でシグナリング(例えば、パイロット強度測定メッセージ)を送信するかもしれない。現在の基地局は無線装置にP-DCCH上でシグナリング(例えば、チャンネル割り当てメッセージ、ハンドオフ指示メッセージなど)を送信するかもしれない。このシグナリングは、基地局の新しい組と通信する無線装置によって必要とされるすべての情報を含んでいる。基地局のための測定されたパイロット信号強度がドロップ閾値以下に落ちる場合、無線装置はまた既存の基地局を活発な組から落とすかもしれない。マルチキャスト・サービスのための活発な組は、システムによりサポートされた他のサービスについて同じ方法で維持されるかもしれない。
【００５３】
一般に、無線装置は、無線装置によって受信されている各サービスの異なる活発な組を維持するかもしれない。例えば、無線装置は、マルチキャスト・サービスのための1つの活発な組、および別のサービス(例えば、音声またはパケット・データ呼)のための別の活発な組を維持するかもしれない。次の記述はマルチキャスト・サービスのために維持された活発な組に関するものである。
【００５４】
マルチキャスト・サービスを受信する無線装置のグループは、同じセルあるいは異なるセルに位置するかもしれない。グループ中の各無線装置は、無線装置がマルチキャスト・サービスを受信している基地局をすべて含んでいるそれぞれの活発な組を維持するかもしれない。無線装置は、マルチキャスト・サービスのための同じ活発な組あるいは異なるオーバーラップする活発な組を持っているかもしれない。少なくとも1つの基地局が、マルチキャスト・サービスを受信する無線装置の多数のものについて活発な組に共通である場合、活発な組はオーバーラップしている。各無線装置については、装置の活発な組中の各基地局は、F-FCH上で共通のマルチキャスト・データを、F-DCCH上でユーザ特有のシグナリングを、およびF-CPCCH上でRL PCビットを無線装置へ送信する。
【００５５】
無線装置は、その活発な組が1つ以上の基地局に属する多数のセクターを含む場合、マルチキャスト・サービスのためのソフトハンドオフにある。ソフトハンドオフにある間、多数のセクターは、これらのセクターによってマルチキャスト・サービスに使用された、異なるF-FCHによって同じマルチキャスト・データを送信する。無線装置は、改善されたパフォーマンスを得るために、活発な組の中のすべてのセクターからマルチキャスト・データを受信しかつ組み合わせるかもしれない。多数のセクターは、またこれらのセクターによってマルチキャスト・サービスに使用された、異なるF-DCCHを経て無線装置へ同じユーザ特有のシグナリングを送るかもしれない。各メッセージがすべてのセクターから同時に送られるように、多数のセクターは、ユーザ特有のシグナリングの送信を調整するかもしれない。これは、無線装置が改善されたパフォーマンスのためにすべてのセクターからメッセージを受信しかつ組み合わせることを可能にする。多数の基地局は、共用順方向リンク・チャンネルのための送信電力を共通のレベルの方へ調節するため、送信電力の平衡/調整を(例えば、周期的に) 行なうかもしれない。同じ内容を送信するすべてのセクターによる平衡された送信電力の使用は、多様性を増強し、リンク効率を改善するかもしれない。
【００５６】
ソフトハンドオフ中の活発な組に多数の基地局がある場合、活発な組の各基地局は、逆方向リンクのための無線装置の送信電力を調節するために、別々の順方向電力制御サブチャネルを送信するかもしれない。各基地局は、無線装置のためにその基地局によってなされた受信信号品質測定に基づいて、無線装置のためのRL PCビットを生成する。各電力制御グループについては、無線装置は、活発な組のすべての基地局から受信されたRL PCビットを検出し、従ってその送信電力を調節することができる。無線装置はORオブザ DOWNの規則を適用し、現在の電力制御グループのためのどんな検出されたRL PCビットも、‘1’(送信電力を減少すること)である場合、その送信電力を減少し、現在の電力制御グループのためのすべての検出されたRL PCビットが‘0’(送信電力を増大すること)である場合、その送信電力を増大する。
【００５７】
システム内のすべての基地局は、マルチキャスト・サービスのために共用順方向リンク・チャンネル(F-FCH、F-DCCHおよびF-CPCCH)をサポートするかもしれない。この場合、無線装置は従来のソフトハンドオフ手続きを使用して、正常なやり方でソフトハンドオフを行なうかもしれない。無線装置は、活発な組の各基地局によって共用順方向リンク・チャンネルのために使用されたすべての関連するパラメータ(例えば、共通長いコード・マスク、ウォルシュ関数など)を通知される。
【００５８】
システムは、共用順方向リンク・チャンネルをサポートするいくつかの基地局、および共用順方向リンク・チャンネルをサポートしないいくつかの“レガシー”基地局を持っているかもしれない。レガシー基地局は、無線装置のためのマルチキャスト・サービスをサポートするために専用F-FCHを使用するかもしれない。レガシー基地局は、無線装置のための固有の長いコード・マスク、別の基地局による共用F-FCHのために使用された共通長いコード・マスク、あるいは他のある長いコード・マスクをに使用して、専用F-FCH上でマルチキャスト・データを送信するかもしれない。レガシー基地局はまた、専用F-FCHの順方向電力制御サブチャネル上で無線装置のためのRL PCビット(参照PCビットの代わりに)を送信するかもしれない。基地局は、専用F-DCCH上でユーザ特有のシグナリングを無線装置へ送るかもしれない。
【００５９】
無線装置は、共用順方向リンク・チャンネルをサポートする第1の基地局から、共用順方向リンク・チャンネルをサポートしない第2の(レガシー)基地局へ、ソフトハンドオフあるいはハードハンドオフを行なうかもしれない。ソフトハンドオフは、両方の基地局によって専用順方向リンク・チャンネルを有する無線装置を割り当てることにより行なわれるかもしれない。例えば、無線装置は、第1の基地局から共用F-FCH上で(例えば、17のウォルシュ関数で)マルチキャスト・データを受信するかもしれない。ソフトハンドオフについては、無線装置は、第1の基地局から第1の専用F-FCH上で(例えば、19のウォルシュ関数で)、および第２の基地局から第2の専用F-FCH上で(例えば、ウォルシュ関数20で) マルチキャスト・データを受信し続けるかもしれない。ハードハンドオフは、第1の基地局によって専用順方向リンク・チャンネルに無線装置を最初に移動させ、次に通常のハードハンドオフ手続きを使用して第２の基地局へハードハンドオフを行なうことにより行なわれるかもしれない。無線装置がその後第1の基地局の報道範囲領域へ移動して戻った場合、無線装置は第1の基地局へハンドオフを行ない、共用順方向リンク・チャンネル上でマルチキャスト・サービスを受信するかもしれない。
【００６０】
無線装置はまた、ソフトハンドオフのため多数の基地局から共用および専用F-FCH経由でマルチキャスト・サービスを同時に受信するかもしれない。無線装置は、共用F-FCHだけでマルチキャスト・データを受信することから、共用および専用F-FCHの両方でマルチキャスト・データを受信することへ行くかもしれない。この場合、専用F-FCHの最初の送信電力(それは加えられているものである)は共用F-FCHの送信電力によって設定されるかもしれない。無線装置はまた、専用F-FCHだけでマルチキャスト・データを受信することから、共用および専用F-FCHの両方でマルチキャスト・データを受信することへ行くかもしれない。この場合、共用F-FCHの最初の送信電力は(それは加えられているものである)は、共用F-FCHの送信電力(それは他の無線装置に既に送信されているものである)および専用F-FCHの送信電力より高いものに設定されるかもしれない。
【００６１】
無線装置が、共用および専用F-FCHの両方で、例えば、1つの基地局からの共用F-FCHおよび別の基地局からの専用F-FCHで受信している場合、無線装置は、共用F-FCHを送信している基地局からのF-CPCCH上で順方向電力制御サブチャネルを受信し、このF-FCHを送信している基地局からの専用F-FCH上で別の順方向電力制御サブチャネル受信するであろう。これらの順方向電力制御サブチャネルのための送信電力は、無線装置によって二次電力制御サブチャネル上で送られたFL PCビットに基づいて調節されるかもしれない。これらのFL PCビットは、(1) 共用F-FCH上で送られた参照PCビットおよび専用F-FCH上で送られたRL PCビットに基づいて、および/または(2) これらの基地局のためにFL PCビットを引き出すように2つの基地局に関する測定にORオブザ UPの規則を適用して引き出されるかもしれない。専用F-FCHの順方向電力制御サブチャネルのための送信電力はまた、専用F-FCHのための送信電力と共に調節されるかもしれない。
【００６２】
無線装置は、1つ以上の基地局から受信された多数の信号インスタンスを処理するために典型的にレーキ受信機を採用する。十分なエネルギーの各信号インスタンスはレーキ受信機の復調要素(即ち、“フィンガー”) に割り当てられかつ処理され、シンボル推定値を得る。すべての割り当てられたフィンガーからのシンボル推定値はその後結合される。結合されたシンボルは、復調されたシンボルを得るために長いコードでデスクランブルされ、それは次に復号される。シンボル推定値がフィンガーを横切って最初に結合され、次にデスクランブルされる場合、同じ長いコード・マスクは、その送信が無線装置によって結合されることになっているすべての基地局によって使用されるべきである。
【００６３】
同じ長いコード・マスクは、ユニキャスト・サービス用のF-FCHおよびF-DCCHのために典型的に使用される。マルチキャスト・サービスについては、各無線装置は、F-FCHのために使用される共通の長いコード・マスク、およびF-DCCH上でシグナリングのために使用される固有の長いコード・マスクを知っている。従って無線装置は、それぞれ共通および固有の長いコード・マスクに基づいてF-FCHおよびF-DCCHの結合されたシンボルをデスクランブルするかもしれない。ソフトハンドオフ中の無線装置については、同じ長いコード・マスクは、装置の活発な組の中ですべての基地局によって典型的に使用される。これは、無線装置がこれらの基地局のすべてについてシンボル推定値を結合することを可能にする。したがって、ソフトハンドオフおよびハードハンドオフは、無線装置によって行なわれる結合およびデスクランブルを考慮に入れる方法で行なわれるかもしれない。
【００６４】
図6はマルチキャスト方式1に関してマルチキャスト・サービスを提供する基地局によって行なわれる処理600のフローダイアグラムを示す。基地局は、共通の長いコード・マスクを使用して、F-FCH上でマルチキャスト・データおよび参照PCビットを送信する(ブロック612)。基地局は、これらの無線装置のために固有の長いコード・マスクを使用して、F-DCCH上で無線装置にユーザ特有のシグナリングを送信する(ブロック614)。基地局はまた、共通の長いコード・マスクによって示されたビット位置で、F-CPCCH上で無線装置のためのRL PCビットを送信する(ブロック616)。基地局は、R-PICH上で各無線装置からパイロットとFL PCビットを受信し(ブロック618)、必要に応じて、R-FCH上で各無線装置からデータ/シグナリングを受信する(ブロック620)。基地局は、すべての無線装置から一次電力制御サブチャネル上で受信されたFL PCビットに基づいて、F-FCHの送信電力を調節する(ブロック622)。基地局は、無線装置から二次電力制御サブチャネル上で受信されたFL PCビットに基づいて、各無線装置のF-DCCHおよびF-CPCCHの送信電力を調節する(ブロック624)。
【００６５】
図7はマルチキャスト方式1に関してマルチキャスト・サービスを受信する与えられた無線装置によって行なわれる処理700のフローダイアグラムを示す。無線装置は、共通の長いコード・マスクを使用して、F-FCH上でマルチキャスト・データおよび参照PCビットを受信する(ブロック712)。無線装置は、無線装置のための固有の長いコード・マスクを使用して、F-DCCH上でそのシグナリングを受信する(ブロック714)。無線装置はまた、共通の長いコード・マスクによって示されたビット位置で、F-CPCCH上でそのRL PCビットを受信する(ブロック716)。無線装置は、F-FCH上で受信された参照PCビットに基づいて、F-FCHのためのFL PCビットを生成する(ブロック718)。無線装置はまた、F-CPCCH上で無線装置へ送られたRL PCビットに基づいて、F-DCCHおよびF-CPCCHのためのFL PCビットを生成する(ブロック720)。無線装置は、一次電力制御サブチャネル上でF-FCHのためのFL PCビット、およびR-PICHの二次電力制御サブチャネル上でF-DCCHおよびF-CPCCHのためのFL PCビットを送信する(ブロック722)。無線装置はまた、R-FCH上で必要とされるデータ/シグナリングを送信する(ブロック724)。
【００６６】
2. マルチキャスト方式2:F-FCHおよび F-CPCCH
マルチキャスト方式2は、順方向リンクのために共用F-FCHおよびF-CPCCH、および逆方向リンクのために各無線装置のR-FCHおよびR-PICHを使用して、マルチキャスト・サービスを提供する。F-FCHは個々の無線装置へユーザ特有のシグナリングを送るのと同様に、すべての無線装置へ共通のマルチキャスト・データを送るために使用される。これは、マルチキャスト・データのための共通の長いコード・マスク、およびユーザ特有のシグナリングのための固有の長いコード・マスクを使用することにより達成されるかもしれない。各無線装置は、共通の長いコード・マスクでマルチキャスト・データを、かつその固有の長いコード・マスクを使用してそれ自身のシグナリングを回復することができる。各フレームにおいてF-FCH上の送信は、無線装置に示されるかもしれないし、示されないかもしれない。そのようなシグナリングが送られない場合、各無線装置は、共通および固有の長いコード・マスクの両方で各フレームを回復することを試みるかもしれない。F-CPCCHは無線装置へRL PCビットを送るために使用される。各無線装置は、R-PICH上でパイロットおよびFL PCビットを送信し、かつ必要な場合、R-FCH上でも送信する。F-DCCHはこのマルチキャスト方式に関してユーザ特有のシグナリングを送るように使用されず、また1つ以上のウォルシュ関数がマルチキャスト方式1に関連して節約される。
【００６７】
順方向リンク電力制御について、R-PICH上の逆方向電力制御サブチャネルは、一次および二次の逆方向電力制御サブチャネル(例えば、400bpsおよび400bps)へ分割され、それはF-FCHおよびF-CPCCHの送信電力を制御するために使用されるかもしれない。基地局は、マルチキャスト・サービスを受信するすべての無線装置から一次および二次の逆方向電力制御サブチャネルを受信するかもしれない。基地局は、無線装置からの一次逆方向電力制御サブチャネル上で受信されたFL PCビットにORオブザ UPの規則を適用し、F-FCH上で送られたマルチキャスト・データのために使用された送信電力を調節するかもしれない。基地局は、二次電力制御サブチャネル上で無線装置から受信されたFL PCビットに基づいて、各無線装置へF-FCH上で送られたユーザ特有のシグナリングのために使用された送信電力を調節するかもしれない。
【００６８】
無線装置は、ソフトハンドオフのために多数の基地局から同時にマルチキャスト・サービスを受信するかもしれない。これらの基地局は、共用F-FCHによって無線装置にマルチキャスト・データを送信するかもしれないし、F-CPCCHよって無線装置のためのRL PCビットを送信するかもしれない。無線装置は、多数の基地局からF-CPCCH上で受信されたRL PCビットを測定し、どの基地局が無線装置で十分な受信信号強度を持っているか決めて、すべての十分に受信された基地局の測定されたRL PCビットに基づいてFL PCビットを生成し、二次電力制御サブチャネル上で基地局へFL PCビットを送るかもしれない。そして各基地局は、F-FCH上のシグナリング、および無線装置からの二次電力制御サブチャネル上で受信されたFL PCビットに基づいて、無線装置のためのF-CPCCH上のRL PCビットのための送信電力を調節する。異なる基地局のためのF-FCHおよびF-CPCCHの送信電力は、このように各基地局によって独立して制御されるかもしれない。
【００６９】
3. マルチキャスト方式3:F-FCH および専用F-DCCH
マルチキャスト方式3は、(1) 順方向リンク用−すべての無線装置のための共用F-FCH、および各無線装置のための専用F-DCCH、および(2) 逆方向リンク用−各無線装置のためのR-PICHおよびR-DCCHを使用して、マルチキャスト・サービスを提供する。共用F-FCHはすべての無線装置へマルチキャスト・データを送るために使用される。専用F-DCCHは特定の無線装置へRL PCビットと同様にユーザ特有のシグナリングを送るために使用される。F-DCCHは、F-FCHのために上に記述されかつ図3で示されたのと同様の方法で、専用F-DCCH上で順方向電力制御サブチャネルを運ぶように構成されるかもしれない。順方向電力制御サブチャネルは無線装置へRL PCビットを送るために使用されてもよい。各無線装置は、R-PICH上でパイロットおよびFL PCビットを送信し、必要な場合R-DCCH上でシグナリングを送信する。F-CPCCHおよびR-FCHはこのマルチキャスト方式では使用されない。
【００７０】
順方向リンク電力制御については、R-PICH上の逆方向電力制御サブチャネルは、一次および二次逆方向電力制御サブチャネル(例えば、400bpsおよび400bps)に分割され、それぞれ共用F-FCHおよび専用F-DCCHの送信電力を制御するために使用されるかもしれない。基地局は、すべての無線装置から一次逆方向電力制御サブチャネル上でFL PCビットを受信し、これらのFL PCビットにORオブザ UP規則を適用し、共用F-FCHのための送信電力を調節するかもしれない。基地局は、各無線装置から二次電力制御サブチャネル上でFL PCビットを受信し、無線装置のための専用F-DCCHの送信電力を調節するかもしれない。RL PCビットのための送信電力は、専用F-DCCHの上でシグナリングのための送信電力に結び付けられるかもしれない。各無線装置は、専用F-DCCHの上で受信されたRL PCビットの受信信号品質を推定し、F-DCCH設定点に対して受信信号品質値を比較し、それに従って専用F-DCCHのためのFL PCビットを生成するかもしれない。F-DCCH設定点は、専用F-DCCHの上のフレーム消去に基づいて調節されるかもしれない。シグナリングが専用F-DCCH上で断続的に送られるかもしれないので、それはよいフレームに基づいて専用F-DCCHのための設定点を下方へ調節する時間の延長された期間をとるかもしれない。専用F-DCCHのための設定点はこのように固定値かもしれないし、あるいは一連の値の内にあるように強要されるかもしれない。
【００７１】
4. マルチキャスト方式4:逆方向リンクのないF-SCH
マルチキャスト方式4はF-SCHおよびF-CCCHを使用して、マルチキャスト・サービスを提供する。F-SCHは無線装置へマルチキャスト・データを送るために使用され、逆方向リンク結合のない音声をサポートするF-FCHに似て、可変レート(例えば、全、半分、4分の1および8分の1のレート) をサポートするかもしれない。F-CCCHは無線装置へユーザ特有のシグナリングを送るために使用される。オーバヘッドチャンネル(例えば、放送制御チャンネル(F-BCCH)あるいはページング・チャンネル)は、これらの順方向リンク・チャンネルのために使用されるレートのように、F-SCHおよびF-CCCHのための設定情報を送るために使用されるかもしれない。逆方向リンク結合は、このマルチキャスト方式の無線装置のために維持されない。無線装置は、装置が他の基地局の報道範囲領域へ移動する場合は常に逆方向リンク結合を育成し、逆方向リンク結合によって適切なシグナリングを送ることにより、マルチキャスト・サービスのために動的な報道範囲を得るかもしれない。電力制御フィードバックが逆方向リンク結合なしで利用可能ではないので、F-SCHおよびF-CCCHは十分な送信電力レベルで送信され、報道範囲領域の端にあるときさえ信頼できる受信を確保するかもしれない。
【００７２】
5. マルチキャスト方式5:F-FCH、F-PDCHおよびF-CPCCH
マルチキャスト方式5は、(1)共用F-FCH、少なくとも1つのF-PDCH、および順方向リンクのための少なくとも1つのF-CPCCH、(2)逆方向リンクのための各無線装置の逆方向品質指標チャンネル(R-CQICH) および逆方向肯定応答チャンネル(R-ACKCH)を使用して、マルチキャスト・サービスを提供する。共用F-FCHは無線装置へマルチキャスト・データを送るために使用される。各F-PDCHは個々の無線装置へユーザ特有のシグナリングを送るために使用されてもよい。1乃至28のウォルシュ関数が各F-PDCHのために使用されてもよい。各無線装置は1つのF-PDCHのために固有のウォルシュ関数を割り当てられ、次に、F-PDCHの上でそのウォルシュ関数によりそのシグナリングを受信するだろう。F-CPCCHは無線装置へRL PCビットを送るために使用される。
【００７３】
各無線装置は、R-CQICHおよび/またはR-ACKCH上でFL PCビットを送信するかもしれない。2つの逆方向電力制御サブチャネルが無線装置のためのF-FCHおよびF-PDCH/F-CPCCHの送信電力を調節するために使用されるかもしれない。無線装置は、F-FCHの上で送られた参照PCビットを測定し、従って測定に基づいたF-FCHのためのFL PCビットを設定し、一次逆方向電力制御サブチャネル上でFL PCビットを送るかもしれない。F-FCHの設定点は、F-FCHのためのフレーム消去に基づいて固定または調節されるかもしれない。F-PDCHのための送信電力は、二次逆方向電力制御サブチャネル上でFL PCビットに基づいて固定または調節されるかもしれない。
【００７４】
順方向および逆方向リンク・チャンネルの様々な組合せを使用して、マルチキャスト・サービスを提供する5つの典型的なマルチキャスト方式が上に記述された。マルチキャスト・サービスはまた、他のマルチキャスト方式に基づき、順方向および逆方向リンク・チャンネルの異なる組合せを使用して、他の方法で提供されるかもしれない。
【００７５】
無線装置は、専用呼(例えば、音声呼)と結合してマルチキャスト・サービスを受信するかもしれない。無線装置は専用呼のために専用F-FCHを割り当てられるかもしれない。専用呼のためのユーザ特有のシグナリングが、専用F-DCCH、マルチキャスト・サービスのために使用される共用のF-DCCH、あるいはある他の順方向リンク・チャンネル上で送られるかもしれない。無線装置はまた、高いデータレートのために専用または共用のF-SCHを割り当てられるかもしれない。R-PICH上の逆方向電力制御サブチャネルは3つ以上のサブチャネルへ分割され、各順方向リンク・チャンネルのための1つのサブチャネルは無線装置によって別々に電力制御されるかもしれない。
【００７６】
6. システム
図8は、マルチキャスト・サービスを提供する基地局110、およびマルチキャスト・サービスを受信する無線装置120のブロック図を示す。順方向リンクについては、基地局110では、FL送信(TX)データ処理装置810が様々なタイプのデータ(例えば、マルチキャスト・データ、シグナリングおよびRL PCビット)を受信し、順方向リンク・チャンネル(例えば、F-FCH、F-DCCHおよびF-CPCCH)上で送信された受信データを処理し(例えば、コード化し、インターリーブし、変調し、チャンネライズし、スクランブルする)、データ・チップのストリームを提供する。送信機ユニット(TMTR)812は順方向リンク信号を生成するためデータ・チップを調整する(例えば、アナログに変換し、増幅し、フィルタにかけ、また、周波数をアップ変換する)。順方向リンク信号は送受切換器(D)814によってルート設定され、アンテナ816によって送信される。無線装置120では、順方向リンク信号はアンテナ852によって受信され、送受切換器854によってルート設定され、受信機ユニット(RCVR)856に供給される。受信機ユニット856はデータ・サンプルを得るために受信信号を調整する(例えば、フィルタにかけ、増幅し、周波数をダウン変換し、そしてデジタル化する)。FL受信(RX)データ処理装置860は、無線装置120のための復号されたデータを得るためにデータ・サンプルを処理する(例えば、デチャンネライズし、データ復調し、逆スクランブルし、デインターリーブし、そして復号する)。復号されたデータは、F-FCH上で送られたマルチキャスト・データ、および無線装置120のためのF-DCCHの上で送られたユーザ特有のシグナリングを含んでいる。FL RXデータ処理装置860は、多くの信号インスタンスを処理することができるレーキ受信機を実施するかもしれない。
【００７７】
逆方向リンクについては、無線装置120では、RL TXデータ処理装置890が逆方向リンク・チャンネル(例えば、R-PICHおよびR-FCH)上で送信するための様々なタイプのデータ(例えば、FL PCビットおよび逆方向リンク・シグナリング)を受信しかつ処理する。その後、送信機ユニット892は、逆方向リンク信号を生成するようにRL TXデータ処理装置890からのデータ・チップのストリームを調整し、それは送受切換器854によってルート設定され、アンテナ852によって送信される。基地局110では、逆方向リンク信号はアンテナ816によって受信され、送受切換器814によってルート設定され、受信機ユニット842に供給される。受信機ユニット842は受信信号を調整し、サンプル・ストリームを提供する。RL RXデータ処理装置844はサンプル・ストリームを処理し、マルチキャスト・サービスを受信する各無線装置によって送られたFL PCビットおよびシグナリングを回復する。
【００７８】
制御装置830および880は、それぞれ基地局110および無線装置120内の様々なユニットの作動を指示する。制御装置830および880は、マルチキャスト・サービス、電力制御、ソフトハンドオフなどのための様々な機能を行なってもよい。メモリ832および882は、それぞれ制御装置830および880によって使用されるデータとプログラムのコードを格納する。基地局110およびマルチキャスト方式1のための無線装置120による処理が下記に述べられる。
【００７９】
図9はF-FCHのためのデータ処理装置810aのブロック図を示す。データ処理装置810aは、図8の中のFL TXデータ処理装置810の一部である。データ処理装置810a内では、マルチキャスト・データはエンコーダ/インターリーバ920によってコード化およびインターリーブされ、さらにスクランブラー922によって共通の長いコードでスクランブルされ、チャンネル利得ユニット924によってF-FCHのデータ部分のための利得で調整される。長いコード発生器930はF-FCHのための共通の長いコード・マスクに基づいて、スクランブラー922のための共通の長いコードを生成する。参照PCビットはチャンネル利得ユニット934によって参照PCビットのための利得で調整される。マルチキャスト・データおよび参照PCビットのための利得は、マルチキャスト・データおよびPCビットのためのビット・レートによって関連づけられかつ決定される。マルチプレクサ(Mux) 940はユニット924および934からの出力を受け、PCビット位置抽出器932によって示されたビット位置で調整されたマルチキャスト・データ上に調整された参照PCビットでパンクチャする。IQデマルチプレクサ(Demux)942は、マルチプレクサ940の出力を同相(I)および直角位相(Q) ストリーム内に逆多重化する。ウォルシュ・カバー・ユニット944はF-FCHのためのウォルシュ関数Wf-fchでIおよびQストリームをカバーする。
【００８０】
図10はF-DCCHのためのデータ処理装置810bのブロック図を示す。データ処理装置810bはまた、図8の中のFL TXデータ処理装置810の一部である。データ処理装置810b内では、マルチプレクサ1010は、マルチキャスト・サービスを受けているユーザa乃至sのためのシグナリングを受信し、TDM Ctrl信号に基づいて一度に1人のユーザにシグナリングを供給する。x∈{a...s}として、選択されたユーザxのためのシグナリングはエンコーダ/インターリーバ1020によって処理され、スクランブラー1022によってユーザxのための長いコードでスクランブルされ、チャンネル利得ユニット1024によってユーザxのための利得で調整され、IQデマルチプレクサ1042によりIおよびQストリームに逆多重化され、ウォルシュ・カバー・ユニット1044によってF-DCCHのためのウォルシュ関数Wf-dcchでカバーされる。長いコード発生器1030は、ユーザxのための固有の長いコード・マスクに基づいてユーザxのための長いコードを生成する。各ユーザのシグナリングは長いコードでスクランブルされ、そのユーザのための利得で調整される。
【００８１】
図11はF-CPCCHのためのデータ処理装置810cのブロック図を示す。データ処理装置810cはまた、図8のFL TXデータ処理装置810の一部である。データ処理装置810c内ではマルチプレクサ1110aはユーザa乃至mのためのRL PCビットを受信し、マルチプレクサ111Obは ユーザn乃至sのためのRL PCビットを受信する。各マルチプレクサ1110は、相対的なオフセット計算ユニット1132によって決定されたビット位置上にそのユーザのためのRL PCビットを写像する。チャンネル利得ユニット1112aおよび1112bはそれぞれマルチプレクサ1110aおよび11lObからRL PCビットを受ける。各チャンネル利得ユニット1112はそのユーザのための利得で各ユーザのRL PCビットを調整する。ウォルシュ・カバー・ユニット1144は、F-CPCCHのためのウォルシュ関数Wf-cpcchでユニット1112aおよび1112bからの調整されたRL PCビットをカバーする。長いコード発生器1130は、共通の長いコード・マスクに基づいて共通の長いコードを生成する。ユニット1132は、共通の長いコードに基づいてRL PCビットのためのビット位置を決定する。
【００８２】
図12はユーザxのためのR-PICHおよびR-FCHのデータ処理装置890aのブロック図を示す。データ処理装置890aは図8の中のRL TXデータ処理装置890の一部である。R-PICHのためのデータ処理装置1202内では、マルチプレクサ1210は一次および二次逆方向電力制御サブチャネルのためのパイロット・データおよびFL PCビットを受信する。マルチプレクサ1210は、図4および5に示されたように、R-PICH上でパイロット・データおよびFL PCビットを多重化する。ウォルシュ・カバー・ユニット1212は、R-PICHのためのウォルシュ関数Wr-pichでマルチプレクサ1210の出力をカバーする。R-FCHのためのデータ処理装置1204内では、逆方向リンク・データおよびシグナリングがエンコーダ/インターリーバ1220によって処理され、ウォルシュ・カバー・ユニット1222によってR-FCHのためのウォルシュ関数Wr-fchでカバーされ、チャンネル利得ユニット1224によってユーザxのための利得で調整される。長いコード発生器1230はユーザxのための固有の長いコード・マスクに基づいてユーザxのための長いコードを生成する。PN発生器1232は、ユーザxのための長いコードおよびすべての無線装置に使用された共通のIPNおよびQPN系列に基づいてPNIおよびPNQ系列を生成する。複合マルチプレクサ1242はデータ処理装置1202および1204の出力をPNIおよびPNQ系列で乗算し、IoutおよびQoutのデータ・チップのストリームを生成し、それは送信器ユニット892によってさらに処理される。R-PICHおよび/またはR-FCH上の送信は、ゲート制御(例えば、1/2または1/4まで) されるかもしれないし、不能にされるかもしれない。
【００８３】
ここに記述された動的な共用順方向リンク・チャンネルはプッシュ・トゥ・トーク(PTT)のような様々なアプリケーションに使用されるかもしれない。一般に、動的な共用順方向リンク・チャンネルは無線装置の任意のグループに任意の共通トラヒックデータを送信するために使用されるかもしれない。動的な共用順方向リンク・チャンネルは共同で電力制御されてもされなくてもよい。
【００８４】
動的な共用順方向リンク・チャンネル上でデータを送信しかつ受信する技術は様々な手段、例えば、ハードウェア、ソフトウェアあるいはそれの組合せによって実施されるかもしれない。ハードウェア実施については、データ送信のための処理装置は1つ以上の特定用途向け集積回路(ASIC)、デジタル信号プロセサ(DSP)、デジタル信号処理装置(DSPD)、プログラマブル論理回路(PLD)、フィールド・プログラマブル・ゲートアレイ(FPGA)、プロセッサ、制御装置、マイクロ制御装置、マイクロプロセッサ、ここに記述された機能を行なうように設計された他の電子ユニット、あるいはそれらの組合せによって実施されるかもしれない。データ受信のための処理装置も1つ以上のASIC、DSPなどで実施されるかもしれない。
【００８５】
ソフトウェア実施については、データ送信と受信のための処理は、ここに記述された機能を行なうモジュール(例えば、手順、機能など)で実施されるかもしれない。ソフトウェア・コードは、メモリユニット(例えば、図8の中のメモリユニット832および882) に格納され、プロセッサ(例えば、制御装置830および880)によって実行されるかもしれない。メモリユニットはプロセッサ内またはプロセッサの外部で実施されされるかもしれず、外部の場合には、当技術においてよく知られているようにそれは様々な手段によってプロセッサに通信で接続され得る。
【００８６】
標題は参考のためにおよびあるセクションを見つける援助のためにここに含まれている。これらの標題は、そこに記述された概念の範囲を制限するようには意図されず、これらの概念は明細書全体にわたる他のセクションに適用可能性を持っているかもしれない。
【００８７】
示された実施例の前の記述はどんな当業者も本発明を作りまたは使用することを可能にするために提供される。これらの実施例に対する様々な修正は当業者に容易に明白であり、ここに定義された総括的な原理は発明の精神または範囲から逸脱することなく他の実施例に適用されるかもしれない。したがって、本発明は、ここに示された実施例に限定されることを意図せず、ここに示された原理と新規な特徴と一致する最も広い範囲を与えられるべきである。
【図１】
2011259456.tif 000004
【図２】
2011259456.tif 000005
【図３】
2011259456.tif 000006
【図４】
2011259456.tif 000007
【図５Ａ】
2011259456.tif 000008
【図５Ｂ】
2011259456.tif 000009
【図６】
2011259456.tif 000010
【図７】
2011259456.tif 000011
【図８】
2011259456.tif 000012
【図９】
2011259456.tif 000013
【図１０】
2011259456.tif 000014
【図１１】
2011259456.tif 000015
【図１２】
2011259456.tif 000016
【手続補正書】
【提出日】平成23年8月4日(2011.8.4)
【手続補正１】
【補正対象書類名】特許請求の範囲
【補正対象項目名】全文
【補正方法】変更
【補正の内容】
【特許請求の範囲】
【請求項１】
マルチキャスト・サービスを提供する無線通信システムにおいて複数の無線装置にマルチキャストデータを送信する方法であって、該方法が、
動的な共用順方向リンクデータチャンネル経由で前記複数の無線装置にマルチキャストデータを送信し、
順方向リンク制御チャンネル経由で前記複数の無線装置の各々にマルチキャスト・サービスのためのユーザ特有のシグナリングを送信し、
前記動的な共用順方向リンクデータチャンネル上で参照ビットを送信し、参照ビットは既知の値を有しかつ前記共用データチャンネルの信号品質推定のために使用されることを含むことを特徴とする方法。
【請求項２】
前記複数の無線装置のために使用される順方向リンク指標チャンネル経由で前記複数の無線装置の各々に電力制御情報を送信することをさらに含む請求項1の方法。
【請求項３】
前記複数の無線装置のための前記ユーザ特有のシグナリングが、時分割多重化(TDM)を使用して前記順方向リンク制御チャネル上で送信される請求項1または請求項2の方法。
【請求項４】
前記動的な共用順方向リンクデータチャネルのための共通の長いコード・マスクを使用して生成された長いコードで、前記動的な共用順方向リンクデータチャネルのマルチキャストデータにスクランブルをかけることをさらに含む請求項1乃至請求項3のいずれか１項の方法。
【請求項５】
前記無線装置のための固有の長いコード・マスクを使用して生成される長いコードで、各無線装置のための前記ユーザ特有のシグナリングにスクランブルをかけることをさらに含む請求項1乃至請求項4のいずれか１項の方法。
【請求項６】
順方向共通電力制御チャンネル(F-CPCCH)経由で前記複数の無線装置の各々に逆方向リンク(RL)PC情報を送信することをさらに含む請求項1乃至請求項5のいずれか１項の方法。
【請求項７】
各無線装置のための前記RL PC情報は前記無線装置に割り当てられたそれぞれの順方向電力制御サブチャネル上で送られ、前記複数の無線装置のための複数の順方向電力制御サブチャネルは前記F-CPCCH上で時分割多重化される請求項6の方法。
【請求項８】
共通の長いコード・マスクを使用して生成された長いコードに基づいて前記F- CPCCH上に前記複数の無線装置のための前記RL PC情報を多重化することをさらに含む請求項6の方法。
【請求項９】
前記複数の無線装置から前記動的な共用順方向リンクデータチャンネルのための順方向リンク(FL)PCビットを受信し、
前記FFCHのための受信された前記FL PCビットに基づいて前記動的な共用順方向リンクデータチャンネルの送信電力を調節することをさらに含む請求項1乃至請求項8のいずれか１項の方法。
【請求項１０】
前記動的な共用順方向リンクデータチャンネルのための前記FL PCビットが前記動的な共用順方向リンクデータチャンネル上で送信された前記参照PCビットに基づいて各無線装置によって生成される請求項9の方法。
【請求項１１】
時間間隔のために前記複数の無線装置から受信されたFL PCビットに基づいて、かつORオブザ UP規則を使用して、各時間間隔のPC決定を判断することをさらに含み、前記動的な共用順方向リンクデータチャンネルの前記送信電力が前記PC決定に基づいて調節される、請求項9または請求項10の方法。
【請求項１２】
予め設定された無線装置の数またはそれ以上が前記動的な共用順方向リンクデータチャンネル上でマルチキャストデータを受信している場合、前記動的な共用順方向リンクデータチャンネルのための前記送信電力の調節を不能にすることをさらに含む請求項9乃至請求項11のいずれか１項の方法。
【請求項１３】
前記複数の無線装置の各々から前記順方向リンク制御チャネルのための順方向リンク(FL)PCビットを受信し、
前記順方向リンク制御チャネルのための、前記無線装置から受信された前記FL PCビットに基づいて、各無線装置へ前記順方向リンク制御チャネル上で送られた前記ユーザ特有のシグナリングの送信電力を調節することをさらに含む請求項１乃至請求項12のいずれか１項の方法。
【請求項１４】
前記複数の無線装置の各々から前記順方向リンク制御チャネルのための順方向リンク(FL)PCビットを受信し、
前記順方向リンク制御チャネルのための、前記無線装置から受信された前記FL PCビットに基づいて、各無線装置へ前記指標チャンネル上で送られた前記RL PCビットの送信電力を調節することをさらに含む請求項6の方法。
【請求項１５】
前記無線装置がシステムに関して移動するとき、前記マルチキャストデータが前記複数の無線装置の各々へ送られる請求項１乃至請求項14のいずれか１項の方法。
【請求項１６】
逆方向パイロットチャンネル(R-PICH)経由で、前記複数の無線装置の各々からパイロットおよび順方向リンク(FL)PC情報を受信することをさらに含む請求項１乃至請求項15のいずれか１項の方法。
【請求項１７】
逆方向基本チャンネル(R-FCH)経由で無線装置から逆方向リンク・シグナリングを受信することをさらに含む請求項１乃至請求項16のいずれか１項の方法。
【請求項１８】
前記動的な共用順方向リンクデータチャンネルは順方向基本チャンネル(F-FCH)であり、前記順方向リンク制御チャンネルは順方向専用制御チャンネル(F-DCCH)であり、前記順方向リンク指標チャンネルはIS-2000における順方向共通電力制御チャンネル(F-CPCCH)である請求項2乃至請求項17のいずれか１項の方法。
【請求項１９】
前記動的な共用順方向リンクデータチャンネルは順方向基本チャンネル(F-FCH)であり、前記順方向リンク制御チャンネルもまたF-FCHであり、前記順方向リンク指標チャンネルはIS-2000における順方向共通電力制御チャンネル (F-CPCCH)である請求項2乃至請求項17のいずれか１項の方法。
【請求項２０】
前記共用順方向リンクデータチャンネルは順方向基本チャンネル(F-FCH)であり、前記順方向リンク制御チャンネルはIS-2000における順方向専用制御チャンネル(F-DCCH)である請求項2乃至請求項17のいずれか１項の方法。
【請求項２１】
前記共用順方向リンクデータチャンネルは順方向補足チャンネル(F-SCH)であり、前記順方向リンク制御チャンネルはIS-2000における順方向共通制御チャンネル(F-CCCH)である請求項2乃至請求項17のいずれか１項の方法。
【請求項２２】
前記共用順方向リンクデータチャンネルは順方向基本チャンネル(F-FCH)であり、前記順方向リンク制御チャンネルは順方向パケット・データチャネル(F-PDCH)であり、前記順方向リンク指標チャンネルはIS-2000における順方向共通電力制御チャンネル(F-CPCCH)である請求項2乃至請求項17のいずれか１項の方法。
【請求項２３】
前記複数の無線装置の各々のために逆方向リンク結合を維持することをさらに含む請求項1乃至請求項22のいずれか１項の方法。
【請求項２４】
マルチキャスト・サービスを提供する無線通信システムにおいてマルチキャストデータを受信する方法であって、該方法が、
動的な共用順方向リンクデータチャンネル経由で複数の無線装置に送られたマルチキャストデータを受信し、
順方向リンク制御チャンネル経由でマルチキャスト・サービスのためのユーザ特有のシグナリングを受信し、
前記動的な共用順方向リンクデータチャンネル上で参照ビットを受信し、前記参照ビットは既知の値を有し、かつ前記共用データチャンネルの受信信号品質を推定するために使用されることを含むことを特徴とする方法。
【請求項２５】
順方向リンク指標チャンネル経由で電力制御情報を受信し、
前記電力制御情報に基づいて逆方向リンク上で送られた送信の送信電力を調節することをさらに含む請求項24の方法。
【請求項２６】
前記動的な共用順方向リンクデータチャンネルのための共通の長いコード・マスクを使用して生成される長いコードで、前記マルチキャストデータを逆スクランブルすることをさらに含む請求項24または請求項25の方法。
【請求項２７】
前記無線装置のための固有の長いコード・マスクを使用して生成される長いコードで、前記無線装置のための前記ユーザ特有のシグナリングを逆スクランブルすることをさらに含む請求項24乃至請求項26のいずれか１項の方法。
【請求項２８】
順方向共通電力制御チャンネル(F-CPCCH)経由で前記無線装置のための逆方向リンク(RL)PC情報を受信することをさらに含む請求項24乃至請求項27のいずれか１項の方法。
【請求項２９】
共通の長いコード・マスクを使用して生成された長いコードに基づいて、前記F-CPCCHからの前記無線装置のための前記RL PC情報を逆多重化することをさらに含む請求項28の方法。
【請求項３０】
前記動的な共用順方向リンクチャンネル上で受信された前記参照PCビットに基づいて前記動的な共用順方向リンクチャンネルの受信信号品質を推定し、
前記動的な共用順方向リンクチャンネルの前記推定された受信信号品質に基づいて前記動的な共用順方向リンクチャンネルのための順方向リンク(FL)PCビットを生成し、
逆方向パイロットチャンネル(R-PICH)経由で前記動的な共用順方向リンクチャンネルのための前記FL PCビットを送信することをさらに含む請求項24乃至請求項29のいずれか１項の方法。
【請求項３１】
前記動的な共用順方向リンクチャンネルのための前記FL PCビットを生成することが、
各時間間隔の前記動的な共用順方向リンクチャンネルの前記推定された受信信号品質を前記動的な共用順方向リンクチャンネルのための設定点に対して比較し、  
前記比較の結果に基づいて前記時間間隔の前記動的な共用順方向リンクチャンネルのためのFL PCビットを生成することを含む請求項30の方法。
【請求項３２】
前記順方向リンク制御チャネルの受信信号品質を推定し、
前記順方向リンク制御チャネルの前記推定された受信信号品質に基づいて前記順方向リンク制御チャネルのためのFL PCビットを生成し、
逆方向パイロットチャンネル(R-PICH)経由で前記順方向リンク制御チャネルのための前記FL PCビットを送信することをさらに含む請求項24乃至請求項31のいずれか１項の方法。
【請求項３３】
前記順方向リンク制御チャネルのための前記FL PCビットを生成することが、
各時間間隔の前記順方向リンク制御チャネルの前記推定された受信信号品質を前記順方向リンク制御チャネルのための設定点に対して比較し、
前記比較の結果に基づいて前記時間間隔の前記順方向リンク制御チャネルのためのFL PCビットを生成することを含む請求項32の方法。
【請求項３４】
前記順方向リンク制御チャネルのための前記FL PCビットを生成することが、
前記順方向リンク制御チャネル上で受信された前記ユーザ特有のシグナリングに基づいて前記順方向リンク制御チャネルのための前記設定点を調節することをさらに含む請求項33の方法。
【請求項３５】
前記順方向リンク制御チャネルの受信信号品質は前記F-CPCCH経由で受信された前記無線装置のための前記RL PC情報に基づいて推定される請求項28乃至請求項34のいずれか１項の方法。
【請求項３６】
トラヒックデータが少なくとも1つの基地局により供給される複数のセクターから前記動的な共用順方向リンクデータチャンネル経由で受信され、前記ユーザ特有の信号が前記複数のセクターから前記順方向リンク制御チャネル経由で受信される請求項24乃至請求項3５のいずれか１項の方法。
【請求項３７】
逆方向パイロットチャンネル(R-PICH)経由でパイロットおよび順方向リンク(FL)PC情報を送信することをさらに含む請求項24乃至請求項36のいずれか１項の方法。
【請求項３８】
前記無線装置のために受信された逆方向リンク(RL)PC情報に基づいて、前記R-PICHのための送信電力を調節することをさらに含む請求項37の方法。
【請求項３９】
逆方向基本チャンネル(R-FCH)経由で逆方向リンク・シグナリングを送信することをさらに含む請求項24乃至請求項38のいずれか１項の方法。
【請求項４０】
送信すべき逆方向リンク・シグナリングがなければ、前記逆方向基本チャンネル(R-FCH)は不活発である請求項39の方法。
【請求項４１】
前記動的な共用順方向リンクデータチャンネルは順方向基本チャンネル(F-FCH)であり、 前記順方向リンク制御チャネルは順方向専用制御チャンネル(F-DCCH)である請求項24乃至請求項40のいずれか１項の方法。
【請求項４２】
無線通信システムにおいて複数の無線装置にマルチキャスト・サービスを提供するための装置であって、
複数の無線装置への動的な共用順方向リンクデータチャンネル上での送信のためにマルチキャストデータを処理する手段と、
前記動的な共用順方向リンクデータチャンネル上での送信のために参照電力制御(PC)ビットを処理する手段と、前記参照PCビットが既知の値を有し前記動的な共用順方向リンクデータチャンネルの信号品質推定のために使用され、
順方向リンク制御チャンネル上での送信のために前記複数の無線装置の各々へのマルチキャスト・サービスのためのユーザ特有のシグナリングを処理する手段とを含むことによって特徴づけられる装置。
【請求項４３】
前記マルチキャストデータを処理する手段と前記参照電力制御(PC)ビットを処理する手段とを含む第１のデータ処理装置と、
前記ユーザ特有のシグナリングを処理する手段を含む第２のデータ処理装置と、をさらに含む請求項42の装置。
【請求項４４】
順方向共通電力制御チャンネル(F-CPCCH)上での送信のために、前記複数の無線装置の各々のための逆方向リンク(RL)PC情報を処理する手段をさらに含む請求項42または請求項43の装置。
【請求項４５】
前記逆方向リンクPC情報を処理する手段は第３のデータ処理装置である請求項44の装置。
【請求項４６】
前記第1のデータ処理装置は、前記動的な共用順方向リンクデータチャンネルのための共通の長いコード・マスクを使用して生成された長いコードで、前記動的な共用順方向リンクデータチャンネルのための前記トラヒックデータにスクランブルをかけるように作動する請求項43の装置。
【請求項４７】
前記第2のデータ処理装置は、前記無線装置のための固有の長いコード・マスクを使用して生成される長いコードで、各無線装置の前記ユーザ特有のシグナリングにスクランブルをかけるように作動する請求項43乃至請求項46のいずれか１項の装置。
【請求項４８】
前記複数の無線装置から前記動的な共用順方向リンクデータチャンネルのための順方向リンク(FL)PCビットを受信し、かつ前記動的な共用順方向リンクデータチャンネルのために受信された前記FL PCビットに基づいて前記動的な共用順方向リンクデータチャンネルの送信電力を調節するように作動する制御装置をさらに含む請求項42乃至請求項47のいずれか１項の装置。
【請求項４９】
前記複数の無線装置の各々から前記順方向リンク制御チャンネルのための順方向リンク(FL)PCビットを受信し、かつ前記順方向リンク制御チャンネルのために前記無線装置から受信された前記FL PCビットに基づいて、各無線装置へ前記順方向リンク制御チャンネル上で送られた前記ユーザ特有のシグナリングの送信電力を調節するように作動する制御装置をさらに含む請求項42乃至請求項48のいずれか１項の装置。
【請求項５０】
前記動的な共用順方向リンクデータチャンネルのための共通の長いコード・マスクを使用して生成される長いコードで、前記動的な共用順方向リンクデータチャンネルの前記トラヒックデータにスクランブルをかける手段をさらに含む請求項42乃至請求項49のいずれか１項の装置。
【請求項５１】
前記無線装置のための固有の長いコード・マスクを使用して生成される長いコードで、各無線装置の前記ユーザ特有のシグナリングにスクランブルをかける手段をさらに含む請求項42乃至請求項50のいずれか１項の装置。
【請求項５２】
前記複数の無線装置から前記動的な共用順方向リンクデータチャンネルのための順方向リンク(FL)PCビットを受信する手段と、
前記動的な共用順方向リンクデータチャンネルのために受信された前記FL PCビットに基づいて前記動的な共用順方向リンクデータチャンネルの送信電力を調節する手段とをさらに含む請求項42乃至請求項51のいずれか１項の装置。
【請求項５３】
前記複数の無線装置の各々から前記順方向リンク制御チャンネルのための順方向リンク(FL)PCビットを受信する手段と、
前記順方向リンク制御チャンネルのために前記無線装置から受信された前記FL PCビットに基づいて、各無線装置へ前記順方向リンク制御チャンネル上で送られた前記ユーザ特有のシグナリングの送信電力を調節する手段とをさらに含む請求項42乃至請求項52のいずれか１項の装置。
【請求項５４】
マルチキャスト・サービスを提供する無線通信システムにおける無線装置のための装置であって、
動的な共用順方向リンクデータチャンネル上で送られたトラヒックデータを受信するために前記動的な共用順方向リンクデータチャンネルのための処理を行ない、
順方向リンク制御チャンネル上で前記無線装置へ送られたユーザ特有のシグナリングを受信するために、前記順方向リンク制御チャンネルのための処理を行ない、
前記動的な共用順方向リンクデータチャンネル上で送られた参照電力制御(PC)ビットを受信するために前記動的な共用順方向リンクデータチャンネルのための処理を行なうように作動する受信データ処理装置を含み、前記参照PCビットが既知の値を有しかつ前記動的な共用順方向リンクデータチャンネルの信号品質推定に使用される、装置。
【請求項５５】
前記データ処理装置が、
前記動的な共用順方向リンクデータチャンネルのための共通の長いコード・マスクを使用して生成された長いコードで、トラヒックデータの逆スクランブルを行なうようにさらに作動する請求項54の装置。
【請求項５６】
前記データ処理装置が、
前記無線装置のための固有の長いコード・マスクを使用して生成された長いコードで、前記無線装置のための前記ユーザ特有のシグナリングに逆スクランブルをかけるように作動する請求項54または請求項55の装置。
【請求項５７】
前記動的な共用順方向リンクデータチャンネル上で受信された前記参照PCビットに基づいて前記動的な共用順方向リンクデータチャンネルの受信信号品質を推定し、かつ前記動的な共用順方向リンクデータチャンネルの前記推定された受信信号品質に基づいて前記動的な共用順方向リンクデータチャンネルのための順方向リンク(FL)PCビットを生成するように作動する制御装置と、
逆方向パイロットチャンネル(R-PICH)上での送信のために前記動的な共用順方向リンクデータチャンネルの前記FL PCビットを処理するように作動する送信データ処理装置とをさらに含む請求項54乃至請求項56のいずれか１項の装置。
【請求項５８】
前記順方向リンク制御チャンネルの受信信号品質を推定し、かつ前記順方向リンク制御チャンネルの前記推定された受信信号品質に基づいて前記順方向リンク制御チャンネルのためのFL PCビットを生成するように作動する制御装置と、
逆方向パイロットチャンネル(R-PICH)上での送信のために前記順方向リンク制御チャンネルの前記FL PCビットを処理するように作動する送信データ処理装置とをさらに含む請求項54乃至請求項56のいずれか１項の装置。
【請求項５９】
前記動的な共用順方向リンクデータチャンネルは順方向基本チャンネル(F-FCH)であり、前記順方向リンク制御チャンネルは順方向専用制御チャンネル(F-DCCH)である請求項42乃至請求項58のいずれか１項の装置。
【外国語明細書】
2011259456000001.pdf